(57)【要約】【課題】M殻、L殻、K殻の電子ラブのエネルギーと公転軌道は異なる。中性子のラブから電子のラブと陽子のラブはできるので、電子のラブのエネルギーが異なることは陽子のラブのエネルギーも異なる事を意味する。原子核の中の陽子のラブのエネルギーは異なり、異なる軌道を公転する。原子核の中の中性子のラブのエネルギーも異なり、異なる軌道を公転する。原子核の中はどのようであるか。電子のラブと陽子のラブに崩壊した中性子はどのようであったのか。【解決手段】電子のラブと陽子のラブに崩壊した中性子は、第1世代の恒星の中でできた。中性子の塊1個から1個の元素はできた。中性子の塊の中の中性子1個のエネルギーは、原子核の中性子1個のエネルギー×中性子の塊が存在した場のA、です。元素の殻の電子のラブのエネルギーから、原子核の中性子のラブのエネルギーを求め、中性子の塊の中性子1個のエネルギーを求める。【選択図】図２
2018038098.tif 000002
【特許請求の範囲】
【請求項１】
K吸収端のエネルギーはいくらか。
K吸収端のエネルギーは電磁気のエネルギーですから、電磁気の軌道エネルギーにより求める。
電磁気の軌道エネルギー=1.233×10-41Jm
K吸収端の軌道＝K吸収端の波長÷2
K吸収端のエネルギー＝1.233×10-41Jm÷軌道＝1.233×10-41Jm÷(K吸収端の波長÷2)
この式によりK吸収端のエネルギーを計算する。
K吸収端の波長とエネルギー
表１９
2018038098.tif 000156
2018038098.tif 000157
2018038098.tif 000158
2018038098.tif 000159
2018038098.tif 000160
2018038098.tif 000161
【請求項２】
K吸収端は何を意味するか。  
電子のラブは自転し磁気の光子を作り公転し電気の光子を作っている。その電磁気が電子のラブの公転軌道の外側の軌道を束に成り回転している。
特性X線は電子のラブの周囲の軌道を、束に成り回転していた電磁気達で、電子のラブが高エネルギーの軌道に移動したとき、移動した高エネルギーの軌道には、電磁気達の軌道が無いので、飛び出した電磁気達です。
電磁気達が束に成り、回転するのは、電子のラブの公転軌道の外側の軌道です。
K吸収端は電子のラブの公転軌道の外側の最も近い軌道を回転する電磁気達の軌道です。
例えば、Cの電子のラブの公転軌道は1.058×10-10mです。その外側の4.3767×10-9m÷２＝2.18835×10-9mの軌道をK吸収端の光子は走っている。
K吸収端は原子番号の大きい元素程小さい軌道に成ります。この事は原子番号の大きい元素の電子のラブ程公転軌道は小さく高エネルギーに成っていることを示唆する。
原子番号の大きい元素の電子程公転軌道は小さく高エネルギーに成っている。それで、原子番号の大きい元素の電子の周囲を回転する特性X線は軌道が小さいく、波長が短い。
AuのK吸収端は、0.0153×10-9mであり、軌道は、0.0153×10-9m ÷2＝7.65×10-12mで、1.058×10-10mの、7.65×10-12m÷(1.058×10-10m)=7.65÷105.8=0.072倍です。エネルギーは  1÷0.072＝13.9倍です。
これは、Auは第1世代の恒星の中央の高エネルギーの場ででき、Auの電子のエネルギーは高エネルギーに成っているからです。
【請求項３】
K吸収端からK殻の電子のラブの公転軌道と電子のラブのエネルギーを求める。
Cの電子の質量エネルギーを、0.511MeV＝1.602×10-19J×106×0.511＝8.186×10-14Jとする。その公転軌道は8.665×10-24Jm÷(8.186×10-14J)＝1.0585×10-10mです。
Cの電子のラブの公転軌道は1.0585×10-10mです。CのK吸収端は4.3767×10-9mです。Cの電子のラブの公転軌道の外側の4.3767×10-9m÷2の軌道をK吸収端の光子は回転している。この光子が放出すると4.3767×10-9mの波長のK吸収端の光子に成る。
Cの電子の質量エネルギーを、0.511MeV＝1.602×10-19J×106×0.511＝8.186×10-14Jとする。その公転軌道は8.665×10-24Jm÷(8.186×10-14J)＝1.0585×10-10mです。
・Cの電子のラブの公転軌道は、K吸収端の波長の何倍か。
ｘ倍とする。
1.0585×10-10m＝4.3767×10-9m×ｘ
ｘ＝1.0585×10-10m÷(4.3767×10-9m)＝2.4185×10-2(倍)
Cの電子のラブの公転軌道は、K吸収端の波長の2.4185×10-2倍です。
○それで、電子のラブの公転軌道は、K吸収端の波長の2.4185×10-2倍とする。
電子のラブの公転軌道＝2.4185×10-2×K吸収端の波長
・電子のラブのエネルギーはどのようであるか。
電子のラブのエネルギー＝8.665×10-24Jm÷電子の公転軌道＝8.665×10-24Jm÷(2.4185×10-2×K吸収端の波長)＝3.5828×10-22÷K吸収端の波長
電子のラブのエネルギー＝3.5828×10-22÷K吸収端の波長
Cの場合、電子のエネルギー＝3.5828×10-22÷K吸収端の波長＝3.5828×10-22÷(4.3767×10-9m)＝8.186×10-14J、です。
この事から、K系吸収端の波長から電子のラブの公転軌道と電子のエネルギーを計算できる。
【請求項４】
K殻の電子のラブの公転軌道とエネルギーはいくらか。
K吸収端からK殻の電子ラブの軌道とエネルギーを求める。
Cの電子のラブの公転軌道は、K吸収端の波長の2.4185×10-2倍とする。
電子のラブの公転軌道＝K吸収端の波長×2.4185×10-2
電子のラブのエネルギー＝3.5828×10-22÷K吸収端の波長
K殻の電子のラブの公転軌道とエネルギー
表２０
2018038098.tif 000162
2018038098.tif 000163
2018038098.tif 000164
2018038098.tif 000165
2018038098.tif 000166
2018038098.tif 000167
2018038098.tif 000168
2018038098.tif 000169
表により理解できる事
１．原子番号の大きい元素の電子程電子のエネルギーは大きい。
この事は原子番号の大きい元素程高エネルギーの場でできた事を示す。
例えば、Sn(50)の電子のエネルギーはC(12)の電子のエネルギーの1.030×102倍のエネルギーです。
この事は、Sn(50)の電子はC(12)の電子の1.030×102倍のエネルギーの場でできた。それで、1.030×102倍のエネルギーを持っている。
Sn(50)の陽子はC(12)の陽子の1.030×102倍のエネルギーの場でできた。それで、1.030×102倍のエネルギーを持っている。
Sn(50)の中性子はC(12)の中性子の1.030×102倍のエネルギーの場でできた。それで、1.030×102倍のエネルギーを持っている。
この事は、元素は第1世代の恒星の中でできた。高エネルギーの元素程高エネルギーの場でできた事を証明する。
2．第1世代の恒星の中で、元素は中性子の塊であった。中性子の数＝原子量。元素に成る中性子の数は原子量です。それで、第1世代の恒星の中で中性子の数が多い塊ほど高エネルギーの場に存在した。即ち、第1世代の恒星の中で、より中央部に存在した。
3．それでは、中性子の数と電子1個のエネルギーの間にはどのような関係が存在するのか。
例えば、Snの場合、中性子の数は118個で、Snの電子のエネルギーはCの電子のエネルギーの1.030×102倍です。1.030×102倍は中性子数の1.030×102÷118＝0.873倍です。
例えば、Nd(60)の場合、中性子の数は144で、Ndの電子のエネルギーはCの電子のエネルギーの、1.2571×10-11J ÷(8.1861×10-14J)＝1.536×102倍です。1.536×102倍は中性子数の1.536×102÷144＝1.067倍です。
例えば、Yb(70) の場合、中性子の数は173で、Ybの電子のエネルギーはCの電子のエネルギーの、1.7737×10-11J ÷(8.1861×10-14J)＝2.167×102倍です。2.167×102倍は中性子数の2.167×102÷173=1.253倍です。
例えば、Hg(80) の場合、中性子の数は200で、Hgの電子のエネルギーはCの電子のエネルギーの、2.4046×10-11J ÷(8.1861×10-14J)＝2.937×102倍です。2.937×102倍は中性子数の2.937×102÷200＝1.469倍です。
例えば、Th(90)の場合、 中性子の数は232で、Ybの電子のエネルギーはCの電子のエネルギーの、3.1706×10-11J÷(8.1861×10-14J)＝ 3.872×102倍です。3.872×102倍は中性子数の3.872×102÷232=1.669倍です。
電子1個のエネルギー÷Cの電子1個のエネルギー÷中性子の数＝中性子の数が多くなるほど大きい。
電子1個のエネルギーは中性子の数が多くなるほど大きい。
【請求項５】
K系の特性X線の波長とエネルギーはいくらか。
特性X線のエネルギー＝1.233×10-41Jm÷(波長÷2)＝2.466×10-41Jm÷波長、の式で計算した特性X線のエネルギー
波長の単位は×10−9m。
K系の特性X線の波長とエネルギー
表２１
2018038098.tif 000170
2018038098.tif 000171
2018038098.tif 000172
2018038098.tif 000173
2018038098.tif 000174
2018038098.tif 000175
2018038098.tif 000176
2018038098.tif 000177
【請求項６】
L系の特性X線の波長とエネルギーはいくらか。
特性X線のエネルギー＝1.233×10-41Jm÷(波長÷2)＝2.466×10-41Jm÷波長、の式で計算した特性X線のエネルギー
波長の単位は×10−9m。
L系の特性X線の波長とエネルギー
表２２
2018038098.tif 000178
2018038098.tif 000179
2018038098.tif 000180
2018038098.tif 000181
2018038098.tif 000182
2018038098.tif 000183
2018038098.tif 000184
2018038098.tif 000185
2018038098.tif 000186
2018038098.tif 000187
７．    M系の特性X線の波長とエネルギーはいくらか。
特性X線のエネルギー＝1.233×10-41Jm÷(波長÷2)＝2.466×10-41Jm÷波長、の式で計算した特性X線のエネルギー
波長の単位は×10−9m。
M系の特性X線の波長とエネルギー
表２３
2018038098.tif 000188
2018038098.tif 000189
2018038098.tif 000190
2018038098.tif 000191
理解できる事。
1．M殻は中心の原子核から離れているので、M殻の軌道のエネルギーは小さい。それで、M殻の軌道を回転する電子のエネルギーも小さい。それで、その電子の周囲を回転する特性X線のエネルギーも小さい。
例えば、W７４の場合、M殻の軌道の特性X線α1のエネルギーは3.53143×10-32Jで、L殻の軌道の特性X線α1,2のエネルギーは1.671×10-31Jで、K殻の軌道の特性X線α1,2のエネルギーは1.169×10-30Jです。
2．殻の軌道を回転する電子のエネルギーが大きいとその電子の周囲を回転する特性X線のエネルギーも大きい。
3．特性X線のエネルギーが大きいと、特性 X線の数も多い。1束の特性 X線の数も多い。
例えば、M殻の軌道の特性X線α1のエネルギーは3.53143×10-32Jで、個数は1個。L殻の軌道の特性X線α1,2のエネルギーは1.671×10-31Jで110個。K殻の軌道の特性X線α1,2のエネルギーは1.169×10-30Jで150個です。
これは磁気の光子のエネルギーが大きいためです。磁気の光子により電気の光子は束ねられている。磁気の光子は引力です。
4．M殻では、特性X線のエネルギーが弱いので、束に成らない。  
【請求項８】
K系の軌道のエネルギーはいくらか。L 系の軌道のエネルギーはいくらか。K系α1,2150個のエネルギーはL系α110個のエネルギーの何倍か。
K系の特性X線α1,2の軌道のエネルギーは特性X線α1,2のエネルギー×特性X線α1,2の強度、です。強度を特性X線の個数と見做す。
例えば、W７４の場合、
K系の特性X線α1,2の軌道のエネルギー＝K系特性X線α1,2のエネルギー×K系特性X線α1,2の強度＝1.169×10-30J×150＝1.754×10-28J
L系の特性X線α1,2の軌道のエネルギー＝L系特性X線α1,2のエネルギー×L系特性X線α1,2の強度＝1.671×10-31J×110＝1.838×10-29J
・K殻の特性X線α1,2の軌道のエネルギーはL殻の特性X線α1,2の軌道のエネルギーの何倍か。
K殻の特性X線α1,2の軌道のエネルギー÷L殻の特性X線α1,2の軌道のエネルギー＝1.754×10-28J÷(1.838×10-29J)＝9.543倍
K殻の特性X線α1,2の軌道のエネルギーはL殻の特性X線α1,2の軌道のエネルギーの9.543倍です。
・L殻の特性X線α1,2の軌道のエネルギーはM殻の特性X線α11個のエネルギーの何倍か。
L殻の特性X線α1,2の軌道のエネルギー÷M殻の特性X線α11個のエネルギー＝1.838×10-29J÷(3.53143×10-32J)＝5.205×102倍
L殻の特性X線α1,2の軌道のエネルギーはM殻の特性X線α11個のエネルギーの5.205×102倍です。
K系α1,2150個のエネルギーはL系α110個のエネルギーの何倍か。K系α1,2150個のエネルギーはL系α1100個のエネルギーの何倍か。K系α1,2150個のエネルギーはM系α1のエネルギーの何倍か。
表２４
2018038098.tif 000192
2018038098.tif 000193
2018038098.tif 000194
2018038098.tif 000195
2018038098.tif 000196
2018038098.tif 000197
2018038098.tif 000198
2018038098.tif 000199
2018038098.tif 000200
2018038098.tif 000201
2018038098.tif 000202
2018038098.tif 000203
2018038098.tif 000204
【請求項９】
K吸収端の波長からK殻の電子のラブの公転軌道とK殻の電子のラブのエネルギーが求められた。L殻の電子のラブの公転軌道と電子のラブのエネルギーはいくらか。M殻の電子のラブの公転軌道と電子のラブのエネルギーはいくらか。
K殻の電子のラブの公転軌道＝2.4185×10-2× K吸収端の波長。K殻の電子のエネルギー＝3.5828×10-22÷ K吸収端の波長。
特性X線のエネルギーは電子のラブの公転によってできる。
特性X線のエネルギーの大きい場では、電子のエネルギーは大きい。特性X線のエネルギーの小さい場では、電子のエネルギーは小さい。
それで、L殻の電子のエネルギー＝K殻の電子のエネルギー×L系のX線のエネルギー÷K系のX線のエネルギー
Cの場合、K殻の電子のエネルギーは8.1861×10-14Jです。K系α1,2150個のエネルギーは8.408×10-31Jです。
でも、L系α1,2150個のエネルギーは解りませんから、L殻の電子のエネルギーは計算できません。
Caの場合、K系の電子のエネルギーは1.1670×10-12Jです。K系α1,2150個のエネルギーは1.101×10-29Jです。L系α110個のエネルギーは7.455×10-31Jです。
それで、L殻の電子のエネルギー＝K殻の電子のエネルギー×L系のX線のエネルギー÷K系のX線のエネルギー＝1.1670×10-12J×7.455×10-31J÷(1.101×10-29J)＝7.902×10−14J、です。
M系のα1の波長とエネルギーのデータ−はありませんから、M殻の電子のエネルギーは計算できません。
Ybの場合、K殻の電子のエネルギーは1.7737×10-11Jです。K系α1,2150個のエネルギーは1.554×10-28Jです。L系α1110個のエネルギーは1.475×10-29Jです。
それで、L殻の電子のエネルギー＝K殻の電子のエネルギー×L系のX線のエネルギー÷K系のX線のエネルギー＝1.7737×10-11J×1.475×10-29J÷(1.554×10-28J)＝1.684×10−12J、です。
M系α1の波長とエネルギーは3.0299×10-32Jです。
M殻の電子のエネルギー＝L殻の電子のエネルギー×M系のX線のエネルギー÷L系のX線のエネルギー＝1.684×10−12J×3.0299×10-32J÷(1.475×10-29J)＝3.459×10−15J、です。
K殻の電子のラブの公転軌道＝2.4185×10-2× K吸収端の波長。
K殻の電子のエネルギー＝3.5828×10-22÷ K吸収端の波長。
L殻の電子のエネルギー＝K殻の電子のエネルギー×L系のX線のエネルギー÷K系のX線のエネルギー
M殻の電子のエネルギー＝L殻の電子のエネルギー×M系のX線のエネルギー÷L系のX線のエネルギー
表２５
2018038098.tif 000205
2018038098.tif 000206
2018038098.tif 000207
2018038098.tif 000208
2018038098.tif 000209
2018038098.tif 000210
2018038098.tif 000211
2018038098.tif 000212
2018038098.tif 000213
2018038098.tif 000214
2018038098.tif 000215
2018038098.tif 000216
2018038098.tif 000217
2018038098.tif 000218
【請求項１０】
特性X線から求めた各々の元素の電子のラブの公転軌道はいくらか。電子のラブの公転軌道と最も小さい特性X線の軌道を比較する。
電子のラブの公転軌道は最も小さい特性X線の軌道より小さい。それで、電子のラブの公転軌道と最も小さい特性X線の軌道を比較する。
電子のラブの公転軌道＝8.665×10-24Jm÷電子のラブのエネルギー。この式から各々の元素の電子のラブの公転軌道を求める。
電子のラブの公転軌道は最も小さい特性X線の軌道より小さい。それで、殻における最も小さい特性X線の軌道と電子のラブの公転軌道を比較する。
表２６
2018038098.tif 000219
2018038098.tif 000220
2018038098.tif 000221
2018038098.tif 000222
2018038098.tif 000223
2018038098.tif 000224
2018038098.tif 000225
2018038098.tif 000226
2018038098.tif 000227
2018038098.tif 000228
2018038098.tif 000229
2018038098.tif 000230
2018038098.tif 000231
2018038098.tif 000232
2018038098.tif 000233
2018038098.tif 000234
この表により理解できる事
1．特性X線は電子のラブが公転して作るものであり、電子のラブの公転軌道より大きい。
2．K系の電子のラブの公転軌道はK系の最も小さい軌道であるK吸収端の軌道より小さいので、この値に近い。
3．L系の電子のラブの公転軌道はL系の最も小さい軌道であるL系γ1の軌道より小さいので、この値に近い。
4．M系の電子のラブの公転軌道はM系のγの軌道より大きいので、誤りです。
5．よって、次の式により求めた値は間違いです。
K殻の電子のラブの公転軌道＝2.4185×10-2× K吸収端の波長。
K殻の電子のエネルギー＝3.5828×10-22÷ K吸収端の波長。
L殻の電子のエネルギー＝K殻の電子のエネルギー×L系のX線のエネルギー÷K系のX線のエネルギー
M殻の電子のエネルギー＝L殻の電子のエネルギー×M系のX線のエネルギー÷L系のX線のエネルギー
【請求項１１】
第1世代の恒星の中の中性子の塊のエネルギーの式と、中性子の塊がができた場のAの式はどのようであるか。
中性子のエネルギー÷電子のエネルギー＝939.565MeV÷0.511MeV＝1838.679
第1世代の恒星の中の中性子の塊のエネルギー＝K殻の電子のエネルギー×1838.679 ×(第1世代の恒星の1個の塊の中の中性子の数÷2)1/2
よって、中性子の塊がができた場のA＝第1世代の恒星の中の中性子の塊のエネルギー÷地表の電子のエネルギー＝第1世代の恒星の中の中性子の塊のエネルギー÷(8.187×10-14J)
【請求項１２】
第1世代の恒星の中の元素に成る中性子の塊がができた場のAはいくらか。  (Cの電子のラブの公転軌道は、K吸収端の波長の2.4185×10-2倍とする場合)
K吸収端からK殻の電子ラブの軌道とエネルギーを求める。
Cの電子のラブの公転軌道は、K吸収端の波長の2.4185×10-2倍とする。
電子のラブの公転軌道＝K吸収端の波長の2.4185×10-2
電子のラブのエネルギー＝3.5828×10-22÷K吸収端の波長
中性子のエネルギー÷電子のエネルギー＝939.565MeV÷0.511MeV＝1838.679
第1世代の恒星の中の中性子の塊のエネルギー＝K殻の電子のエネルギー×1838.679 ×(第1世代の恒星の1個の塊の中の中性子の数÷2)1/2
よって、中性子の塊がができた場のA＝第1世代の恒星の中の中性子の塊のエネルギー÷地表の電子のエネルギー＝第1世代の恒星の中の中性子の塊のエネルギー÷(8.187×10-14J)
電子のラブの公転軌道＝K吸収端の波長の2.4185×10-2
電子のラブのエネルギー＝3.5828×10-22÷K吸収端の波長
とする場合、
第1世代の恒星の中の中性子の塊のエネルギー＝K殻の電子のラブのエネルギー×(第1世代の恒星の1個の塊の中の中性子の数÷2)1/2×1838.679 
中性子の塊がができた場のA＝第1世代の恒星の中の中性子の塊のエネルギー÷(8.187×10-14J)
表２７
2018038098.tif 000235
2018038098.tif 000236
2018038098.tif 000237
2018038098.tif 000238
2018038098.tif 000239
2018038098.tif 000240
2018038098.tif 000241
2018038098.tif 000242
2018038098.tif 000243
2018038098.tif 000244
2018038098.tif 000245
2018038098.tif 000246
2018038098.tif 000247
2018038098.tif 000248
2018038098.tif 000249
2018038098.tif 000250
この表により理解できる事。
1．第１世代の恒星の中で、Zr(40)の中性子の塊ができた場のAは7.834×105です。
ブラックホールのA=7.387×105です。よって、Zr(40)より原子番号の大きい元素の中性子の塊は、ブラックホールのA以上のエネルギーの場の中でできたことになる。
2．ブラックホールの中には中性子や陽子や電子は存在しない。
3．よって、電子のラブの公転軌道＝K吸収端の波長の2.4185×10-2と、電子のラブのエネルギー＝3.5828×10-22÷K吸収端の波長の式で求めた、各々の元素の電子のラブの公転軌道とエネルギーは誤りです。
【請求項１３】
電子のラブの軌道がK吸収端の軌道であるとすると、電子のラブのエネルギーと第1世代の恒星の中の中性子の塊のエネルギーと中性子の塊がができた場のAはいくらか。
K殻を回転する電子のラブの公転軌道＝K吸収端の軌道
第1世代の恒星の中の中性子の塊のエネルギー＝K殻の電子のエネルギー×1838.679×(第1世代の恒星の1個の塊の中の中性子の数÷2)1/2
中性子の塊がができた場のA＝第1世代の恒星の中の中性子の塊のエネルギー÷地表の電子のエネルギー＝第1世代の恒星の中の中性子の塊のエネルギー÷(8.187×10-14J)
電子のラブの軌道がK吸収端の軌道であるとすると、電子のラブのエネルギーと第1世代の恒星の中の中性子の塊のエネルギーと中性子の塊がができた場のA
表２８
2018038098.tif 000251
2018038098.tif 000252
2018038098.tif 000253
2018038098.tif 000254
2018038098.tif 000255
2018038098.tif 000256
2018038098.tif 000257
2018038098.tif 000258
2018038098.tif 000259
2018038098.tif 000260
2018038098.tif 000261
2018038098.tif 000262
2018038098.tif 000263
2018038098.tif 000264
この事により理解できた事
1．第1世代の恒星の中心は中性子星のAです。中性子星のA=2.028×105
2．太陽は中性子星からできた。
3．Liができた軌道のAは1.715× 10ではない。Liの電子のエネルギーは7.636×10-16Jで、公転軌道は11.348×10-9mです。このエネルギーは電子のエネルギー8.187×10-14Jで、公転軌道が1.058×10-10mより低エネルギーです。
4．電子のエネルギー8.187×10-14Jで、公転軌道が1.058×10-10mの場合、Aはいくらか。
第1世代の恒星の中の中性子の塊のエネルギー＝K殻の電子のエネルギー×(第1世代の恒星の1個の塊の中の中性子の数÷2)1/2×1838.679＝8.187×10-14J×１×1838.679＝1.505×10-11J
中性子の塊がができた場のA＝第1世代の恒星の中の中性子の塊のエネルギー÷(8.187×10-14J)＝1.505×10-11J÷(8.187×10-14J)＝1.838×102
5．太陽の中心は15×106℃であり、その場で核融合反応がおき、Heができるとすると、Heができた場のAは(15×106℃)1/2=3.873×103、です。
6．表では、Cr(24)の公転軌道は1.035×10-10mで、エネルギーは8.372×10-14Jですから、電子の公転軌道とエネルギーに最も近い。この第1世代の恒星の中の中性子の塊のエネルギーは、8.372×10-14J×5.099×1.8387×103＝7.697×10-10Jで、中性子の塊がができた場のAは、7.697×10-10J÷(8.187×10-14J) ＝9.401×103、です。
それで、この表のようであると理解します。
7．このデータ-と2014年4月1日に提出した、特願2014-075852「星の中央の中性子の塊と引力と宇宙の初期の中性子の塊と引力でできる元素」の「請求項3」「請求項4」「請求項5」「請求項6」「請求項7」「請求項8」で得た表４とやや等しいので正しい。
8．第1世代の恒星の中で、元素に成る中性子の塊は、この表のように並んでいる。第1世代の恒星の中央に成るに従って、Aの値は大きく成り、原子番号の大きい元素に成る中性子の塊が存在する。
【請求項１４】
K吸収端の軌道はK殻を公転する電子のラブの公転軌道の大きさに近い。L系γ1の軌道はL殻を回転する電子のラブの公転軌道の大きさに近い。M系γの軌道はM殻を回転する電子のラブの公転軌道の大きさに近い。その事の証明。
電子のラブは自転し磁気の光子を作り、公転し電気の光子を作る。自転しながら公転し電磁気を作る。この電磁気は電子のラブの公転軌道を出る。これがX線です。特性X線は電子のラブが作った電磁気で、電子のラブの公転軌道の周囲の軌道を回転している。最も電子のラブの公転軌道に近い特性X線は最も軌道の小さい特性X線です。
K殻を回転する電子のラブの公転軌道の大きさに近い特性X線は最も軌道の小さい特性X線でK吸収端です。
L殻を回転する電子のラブの公転軌道の大きさに近い特性X線は最も軌道の小さい特性X線でL系γ1です。
M殻を回転する電子のラブの公転軌道の大きさに近い特性X線は最も軌道の小さい特性X線でM系γです。
それで、K殻を回転する電子のラブの公転軌道の大きさをK吸収端の軌道と見做すことができる。
L殻を回転する電子のラブの公転軌道の大きさをL系γ1の軌道と見做すことができる。
M殻を回転する電子のラブの公転軌道の大きさをM系γの軌道と見做すことができる。
K吸収端がK殻の電子のラブの公転軌道と見做される原理。
電子のラブは自転しながら公転し電磁気を作る。この電磁気が電子のラブの公転軌道を出て、電子のラブの公転軌道の外側の軌道を回転する。これがX線です。K殻の電子のラブの公転軌道の最も近くの軌道を回転するX線がK吸収端です。それで、K吸収端の軌道をK殻の電子のラブの公転軌道と見做すことができる。同じように、L殻の軌道を公転する電子のラブの公転軌道は、L系のγ１の特性X線の軌道と見做すことができる。M殻の軌道を公転する電子のラブの公転軌道は、M系のγの特性X線の軌道と見做すことができる。
AuのK殻の電子のラブの公転軌道は、K吸収端の波長÷2=0.0153×10-9m÷2＝1.53×10-11m÷2＝7.65×10-12m、です。
AuのL殻の電子のラブの公転軌道は、L系のγ１の特性X線の波長÷2=0.0927×10-9m÷2＝9.27×10-11m÷2＝4.635×10-11m、です。
AuのM殻の電子のラブの公転軌道は、M系のγの特性X線の波長÷2=0.5145×10-9m÷2＝5.145×10-10m÷2＝2.5725×10-10m、です。
このように、同じ元素でも電子のラブの公転軌道とエネルギーが異なることは、陽子のラブの公転軌道とエネルギーも異なる。中性子の公転軌道とエネルギーも異なる。
この原因は同じ元素でも元素ができる前段階に於いて、中性子の塊の中性子のエネルギーが異なっていた事を示唆する。
元素ができる前段階、第1世代の恒星の中で陽子と電子に成る基の中性子の塊の状態に起因する。
【請求項１５】
K殻を回転する電子のラブの公転軌道の大きさがK吸収端の軌道と同じ大きさであるとすると、電子のラブのエネルギーはいくらか。L殻を回転する電子のラブの公転軌道の大きさが、L系γ1の軌道と同じ大きさであるとすると、電子のラブのエネルギーはいくらか。M殻を回転する電子のラブの公転軌道の大きさが、M系γの軌道と同じ大きさであるとすると、電子のラブのエネルギーはいくらか。
K吸収端の軌道＝K吸収端の波長÷2。K殻を回転する電子のラブの公転軌道の大きさがK吸収端の軌道と同じ大きさであるとすると、電子のラブのエネルギー＝8.665×10-24Jm÷K吸収端の軌道。
L系γ1の軌道＝L系γ1の波長÷2。L殻を回転する電子のラブの公転軌道の大きさが、L系γ1の軌道と同じ大きさであるとすると、電子のラブのエネルギー＝8.665×10-24Jm÷L系γ1の軌道。
M系γ1の軌道＝M系γ1の波長÷2。M殻を回転する電子のラブの公転軌道の大きさが、M系γの軌道と同じ大きさであるとすると、電子のラブのエネルギー＝8.665×10-24Jm÷M系γの軌道。
K殻を回転する電子のラブの公転軌道＝K吸収端の軌道、L殻を回転する電子のラブの公転軌道＝L系γ1の軌道、M殻を回転する電子のラブの公転軌道＝M系γの軌道、とする場合の電子のラブのエネルギー＝8.665×10-24Jm÷電子のラブの公転軌道。
表２９
2018038098.tif 000265
2018038098.tif 000266
2018038098.tif 000267
2018038098.tif 000268
2018038098.tif 000269
2018038098.tif 000270
2018038098.tif 000271
2018038098.tif 000272
2018038098.tif 000273
2018038098.tif 000274
2018038098.tif 000275
2018038098.tif 000276
2018038098.tif 000277
2018038098.tif 000278
この表より理解できる事
1．K殻の電子のラブは高エネルギーなので、１束にたくさんの電磁気を引き付ける事ができる。K系α１α2は１５０．
2．L殻の電子のラブはK殻の電子のラブよりエネルギーが小さいので、 K殻の電子のラブより1束に引き付ける電磁気の量は少ない。K系α１α2は110．
3．M殻の電子のラブは低エネルギーなので、電磁気の束はできない。
4．K殻、L殻、M殻の電子のラブの公転軌道をK系、L系、M系の特性X線の最も小さい軌道と見做すことにより、おおよそのK殻、L殻、M殻の電子のラブのエネルギーが理解できる。
5．各々の元素の電子のラブの公転軌道とエネルギーは回転する殻によって異なる。
例えば、Su(50)の場合、K殻の軌道を回転する電子のラブの公転軌道は2.125×10-11mで、エネルギーは4.078×10-13Jです。
L殻の軌道を回転する電子のラブの公転軌道は1.501×10-10mで、エネルギーは5.772×10-14Jです。
M殻の軌道を回転する電子のラブの公転軌道は8.910×10-10mで、エネルギーは9.725×10-15Jです。
この事によって、原子核のSuの陽子のラブは同じ公転軌道ではなく、同じエネルギーではない事が推測できる。
6．例えば、W(74)の場合、K殻の軌道を回転する電子のラブの公転軌道は8.900×10-12mで、エネルギーは9.736.×10-13Jです。
L殻の軌道を回転する電子のラブの公転軌道は5.490×10-11mで、エネルギーは1.578×10-13Jです。
M殻の軌道を回転する電子のラブの公転軌道は3.044×10-10m で、エネルギーは2.847×10-14Jです。
このように、K殻の軌道を回転する電子のラブの公転軌道とエネルギー、L殻の軌道を回転する電子のラブの公転軌道とエネルギー、M殻の軌道を回転する電子のラブの公転軌道とエネルギーは異なります。
この事によって、第1世代の恒星の中で、中性子の塊がどのような状態になっていたかが理解できる。
○電子のラブはK殻、L殻。M殻を公転する。
それで、原子核の陽子のラブが公転する軌道を、K´殻、L´殻、M´殻と名付ける。
原子核の中性子が公転する軌道を、K2´殻、L2´殻、M2´殻と名付ける。
第1世代の中の中性子の塊の中を公転する中性子のラブの軌道を、K3´殻、L3´殻、M3´殻と名付ける。
【請求項１６】
原子核はどのようにでき、原子核の中はどのようであるか。
1つの中性子から電子のラブと陽子のラブができる。
高エネルギーの中性子から高エネルギーの電子のラブと高エネルギーの陽子のラブができる。
・中性子の塊の層が3層の場合。(RbからXeの場合)
3層目には18個×4列＝72個の中性子が存在します。
3層目は2段に成っています。
1段は2列になっていていて、それぞれ内側の軌道の中性子と外側の軌道の中性子です。
外側の列の軌道の中性子は18個です。この中性子は崩壊し電子のラブと陽子のラブに成ります。電子のラブはM殻の軌道を公転します。陽子のラブは原子核のM´の軌道を公転します。
内側の列の軌道の中性子は18個です。この中性子は原子核のM2´の軌道を公転します。中性子の数が多くなることがある。
これが2段存在します。
この2列の軌道の中性子が1段になり、合計2段に成っていて、2列の軌道×2段＝4列の軌道になっていて、中性子の数は18個×2列×2段＝72個になっています。
この72個の中性子は、中性子の塊の最も外側の軌道を回転する最も低エネルギーの中性子です。
2層目には8個×2列×2段＝32個の中性子が存在します。
2層目は2段に成っています。
1段は2列になっていていて、それぞれ内側の軌道の中性子と外側の軌道の中性子です。
外側の列の軌道の中性子は8個です。この中性子は崩壊し電子のラブと陽子のラブに成ります。電子のラブはL殻の軌道を公転します。陽子のラブは原子核のL´の軌道を公転します。
内側の列の軌道の中性子は8個です。この中性子は原子核のL2´の軌道を公転します。
この2列の軌道の中性子が1段になり、合計2段に成っています。2列の軌道×2段＝4列の軌道になっていて、中性子の数は8個×2列×2段＝32個になっています。
この32個の中性子は、中性子の塊の2番目に小さい軌道を回転する2番目に大きいエネルギーの中性子です。
1層目には2×2=4個の中性子が存在します。
外側の列の軌道の中性子は2個です。この中性子は崩壊し電子のラブと陽子のラブに成ります。電子のラブはK殻の軌道を公転します。陽子のラブは原子核のK´の軌道を公転します。
内側の列の軌道の中性子は2個です。この中性子は原子核のK2´の軌道を公転します。
この4個の中性子は、中性子の塊の最も小さい軌道を回転する最も高エネルギーの中性子です。
陽子のラブは電子のラブの公転軌道の1836分の1の大きさの軌道を公転します。
電子のラブと陽子のラブに崩壊しなかった中性子は、崩壊するエネルギーを消耗しない分だけ、陽子のラブより高エネルギーです。
それで、陽子のラブの1番小さい軌道であるK´の軌道より更に小さい軌道を公転する。陽子のラブの回転方向の逆方向に公転する。中性子の軌道をM2´殻、L2´殻、K2´殻と名付ける。
例えば、Sn(50)の場合、中性子の塊の層は3層です。中性子の数は118個です。
3層目の1段には
外側の列の軌道に18個の中性子が存在し、崩壊し、電子のラブと陽子のラブに成ります。電子のラブはM殻の軌道を公転します。陽子のラブはM´殻の軌道を公転します。
内側の列の軌道に18個の中性子が存在し、崩壊し、原子核の中性子のラブに成ります。原子核の中性子のラブはM2´殻の軌道を公転します。
3層目の2段には
外側の列の軌道に14個の中性子が存在し、崩壊し、電子のラブと陽子のラブに成ります。電子のラブはM殻の軌道を公転します。陽子のラブはM´殻の軌道を公転します。
内側の列の軌道に14個+18個=32個の中性子が存在し、崩壊し、原子核の中性子のラブに成ります。原子核の中性子のラブはM2´殻の軌道を公転します。
＊M殻の軌道は、M系のγ特性X線の軌道であり、1.794×10-9m÷2＝8.910×10-10mです。電子のラブの公転軌道は8.910×10-10mで、電子のラブのエネルギーは8.665×10-24Jm÷(8.910×10-10m)＝9.725×10-15J、です。
陽子のラブの公転軌道はこの軌道の1836分の1ですから、8.910×10-10m÷1836＝4.853×10-13m、です。陽子のラブのエネルギーは、8.665×10-24Jm÷(4.853×10-13m)＝1.785×10-11J、です。
原子核の中のM´の軌道は4.853×10-13mで、陽子のラブはこの軌道を公転します。
原子核の中性子のラブの公転軌道は、電子のラブの公転軌道の1838.7分の1ですから、8.910×10-10m÷1838.7=4.846×10-13m、です。中性子のラブのエネルギーは、8.665×10-24Jm÷(4.846×10-13m)＝1.788×10-11J、です。
原子核のM2´の軌道は4.846×10-13mで中性子のラブはこの軌道を公転します。
・2層目の1段には
外側の列の軌道に8個の中性子が存在し、崩壊し、電子のラブと陽子のラブに成ります。電子のラブはL殻の軌道を公転します。陽子のラブはL´殻の軌道を公転します。
内側の列の軌道に8個の中性子が存在し、崩壊し、原子核の中性子のラブに成ります。原子核の中性子のラブはL2´殻の軌道を公転します。
2層目の2段には
外側の列の軌道に8個の中性子が存在し、崩壊し、電子のラブと陽子のラブに成ります。電子のラブはL殻の軌道を公転します。陽子のラブはL´殻の軌道を公転します。
内側の列の軌道に8個の中性子が存在し、崩壊し、原子核の中性子のラブに成ります。原子核の中性子のラブはL2´殻の軌道を公転します。
＊L殻の軌道は、L系のγ1特性X線の軌道であり、3.001×10-10m÷2＝1.501×10-10m です。電子のラブの公転軌道は1.501×10-10mで、電子のラブのエネルギーは8.665×10-24Jm÷(1.501×10-10m)＝5.773×10-14J、です。
陽子のラブの公転軌道はこの軌道の1836分の1ですから、1.501×10-10m÷1836＝8.175×10-14m、です。陽子のラブのエネルギーは、8.665×10-24Jm÷(8.175×10-14m)＝1.060×10-10J、です。
原子核の中のL´の軌道は8.175×10-14mで、陽子のラブはこの軌道を公転します。
原子核の中性子のラブの公転軌道は、電子のラブの公転軌道の1838.7分の1ですから、1.501×10-10m÷1838.7=8.163×10-14m、です。中性子のラブのエネルギーは、8.665×10-24Jm÷(8.163×10-14m)＝1.061×10-10J、です。
原子核のL2´の軌道は、8.163×10-14mで中性子のラブはこの軌道を公転します。
・１層目には4個の中性子が存在します。
2個の中性子は2個の電子のラブと2個の陽子のラブに崩壊します。
2個の中性子は2個の原子核の中性子に成ります。
＊K殻の軌道は、K吸収端の軌道であり、0.0425×10-9m÷2＝2.125×10-11mです。電子のラブの公転軌道は2.125×10-11mで、電子のラブのエネルギーは8.665×10-24Jm÷(2.125×10-11m)＝4.078×10-13Jです。
陽子のラブの公転軌道は電子のラブの公転軌道の1836分の1ですから、2.125×10-11m÷1836=1.157×10-14m、です。陽子のラブのエネルギーは、8.665×10-24Jm÷(1.157×10-14m)＝7.489×10-10J、です。
原子核の中のK´の軌道は1.157×10-14mで、陽子のラブはこの軌道を公転します。
原子核の中性子のラブの公転軌道は、電子のラブの公転軌道の1838.7分の1ですから、2.125×10-11m÷1838.7=1.156×10-14m、です。中性子のラブのエネルギーは、8.665×10-24Jm÷(1.156×10-14m)＝7.496×10-10J、です。
原子核のK2´の軌道は、1.156×10-14mで中性子のラブはこの軌道を公転します。
Sn(50)のK殻の電子のラブの公転軌道とエネルギーとL殻の電子のラブの公転軌道とエネルギーとM 殻の電子のラブの公転軌道とエネルギー
原子核の中のK´殻の陽子のラブの公転軌道とエネルギーとL´殻の陽子のラブの公転軌道とエネルギーとM´ 殻の陽子のラブの公転軌道とエネルギー
原子核の中のK2´殻の中性子のラブの公転軌道とエネルギーとL2´殻の中性子のラブの公転軌道とエネルギーとM2´ 殻の中性子のラブの公転軌道とエネルギー
表３０
2018038098.tif 000279
【請求項１７】
原子核の中の軌道とエネルギー
原子核の中のK´殻を回転する陽子のラブの公転軌道＝K殻を回転する電子のラブの公転軌道÷1836．
原子核の中のK´殻を回転する陽子のラブのエネルギー＝K殻を回転する電子のラブのエネルギー×1836．
原子核の中のL´殻を回転する陽子のラブの公転軌道＝L殻を回転する電子のラブの公転軌道÷1836．
原子核の中のL´殻を回転する陽子のラブのエネルギー＝K殻を回転する電子のラブのエネルギー×1836．
原子核の中のM´殻を回転する陽子のラブの公転軌道＝M殻を回転する電子のラブの公転軌道÷1836．
原子核の中のM´殻を回転する陽子のラブのエネルギー＝M殻を回転する電子のラブのエネルギー×1836．
原子核の中のK2´殻を回転する中性子のラブの公転軌道＝K殻を回転する電子のラブの公転軌道÷(1.8387×103)．
原子核の中のK2´殻を回転する中性子のラブのエネルギー＝K殻を回転する電子のラブのエネルギー×1.8387×103．
原子核の中のL2´殻を回転する中性子のラブの公転軌道＝L殻を回転する電子のラブの公転軌道÷(1.8387×103)．
原子核の中のL2´殻を回転する中性子のラブのエネルギー＝L殻を回転する電子のラブのエネルギー×1.8387×103．
原子核の中のM2´殻を回転する中性子のラブの公転軌道＝M殻を回転する電子のラブの公転軌道÷(1.8387×103)．
原子核の中のM2´殻を回転する中性子のラブのエネルギー＝M殻を回転する電子のラブのエネルギー×1.8387×103．
原子核の中の軌道とエネルギー
表３１
2018038098.tif 000280
2018038098.tif 000281
2018038098.tif 000282
2018038098.tif 000283
2018038098.tif 000284
2018038098.tif 000285
2018038098.tif 000286
2018038098.tif 000287
2018038098.tif 000288
この事を図に示す
原子核の中は表１３のようになる。
その一般図を示す。
原子核の外の軌道から、陽子のラブのM´殻の軌道=陽子のラブの公転軌道、中性子のラブのM2´の軌道＝中性子のラブの公転軌道、陽子のラブのL´殻の軌道＝陽子のラブの公転軌道、中性子のラブのL2´の軌道＝中性子のラブの公転軌道、陽子のラブのK´殻の軌道＝陽子のラブの公転軌道、中性子のラブのK2´の軌道＝中性子のラブの公転軌道、の順に並んでいる。
陽子のラブは陽子のラブの公転軌道を公転する。中性子のラブは中性子のラブの公転軌道を公転する。
【請求項１８】
K殻の軌道とK殻を公転する電子のラブの公転軌道は同じ大きさです。L殻の軌道とL殻を公転する電子のラブの公転軌道は同じ大きさです。M殻の軌道とM殻を公転する電子のラブの公転軌道は同じ大きさです。原子核のK´殻を回転する陽子のラブの公転軌道と原子核のK´殻の大きさは同じ大きさです。原子核のL´殻を回転する陽子のラブの公転軌道と原子核のL´殻の大きさは同じ大きさです。原子核のM´殻を回転する陽子のラブの公転軌道と原子核のM´殻の大きさは同じ大きさです。原子核のK2´殻の軌道と原子核のK2´殻の軌道を公転する中性子のラブの公転軌道は同じ大きさです。原子核のL2´殻の軌道と原子核のL2´殻の軌道を公転する中性子のラブの公転軌道は同じ大きさです。原子核のM2´殻の軌道と原子核のM2´殻の軌道を公転する中性子のラブの公転軌道は同じ大きさです。
K殻の軌道と何か。
K殻の軌道とは電子のラブが自転しながら公転する軌道です。
K殻の軌道とは電子のラブが１〜2個乗って自転しながら公転する軌道です。
K殻の軌道とは電子のラブの公転軌道です。
Lの軌道とは何か。
L殻の軌道とは電子のラブが１〜8個乗って自転しながら公転する軌道です。
L殻の軌道とは電子のラブの公転軌道です。
M殻の軌道とは何か。
M殻の軌道とは電子のラブが１〜18個乗って自転しながら公転する軌道です。
M殻の軌道とは電子のラブの公転軌道です。
N殻の軌道とは何か。
N殻の軌道とは電子のラブが１〜32個乗って自転しながら公転する軌道です。
N殻の軌道とは電子のラブの公転軌道です。
K´殻の軌道とは何か。
K´殻の軌道とは陽子のラブが自転しながら公転する軌道です。
K´殻の軌道とは陽子のラブが１〜2個乗って自転しながら公転する軌道です。
L´殻の軌道とは何か。
L´殻の軌道とは陽子のラブが自転しながら公転する軌道です。
L´殻の軌道とは陽子のラブが１〜8個乗って自転しながら公転する軌道です。
M´殻の軌道とは何か。
M´殻の軌道とは陽子のラブが自転しながら公転する軌道です。
M´殻の軌道とは陽子のラブが１〜18個乗って自転しながら公転する軌道です。
N´殻の軌道とは何か。
N´殻の軌道とは陽子のラブが自転しながら公転する軌道です。
N´殻の軌道とは陽子のラブが１〜32個乗って自転しながら公転する軌道です。
K2´殻の軌道とは何か。
K2´殻の軌道とは中性子のラブが自転しながら公転する軌道です。
K2´殻の軌道とは中性子のラブが１〜2個乗って自転しながら公転する軌道です。
L2´殻の軌道とは何か。
L2´殻の軌道とは中性子のラブが自転しながら公転する軌道です。
L2´殻の軌道とは中性子のラブが１〜8個乗って自転しながら公転する軌道です。
M2´殻の軌道とは何か。
M2´殻の軌道とは中性子のラブが自転しながら公転する軌道です。
M2´殻の軌道とは中性子のラブが１〜18個乗って自転しながら公転する軌道です。
N2´殻の軌道とは何か。
N2´殻の軌道とは中性子のラブが自転しながら公転する軌道です。
N2´殻の軌道とは中性子のラブが１〜32個乗って自転しながら公転する軌道です。
【請求項１９】
第1世代の恒星の中の中性子の塊の状態
第1世代の恒星の中央部の軌道の中性子の塊について2つの場合について考えなければならない
・１つは、中性子の塊が第1世代の恒星の中のどのエネルギーの軌道でできたかについてである。
これは、第1世代の恒星の中の、中性子の塊の中性子の数とエネルギーと中性子の塊がができた場のAにより理解できる。
各々の元素の中性子の塊ができた場のAについては、課題13の表10に記した。
第1世代の恒星は中心に成る程高エネルギーの軌道に成る。
低エネルギーの軌道では、中性子の塊の中の中性子の層の数は少ない。そして、中性子の数は少ない。中性子1個のエネルギーは小さい。
高エネルギーの軌道に成る程、中性子の層は多くなる。塊の中の中性子の数は多くなる。そして、中性子1個のエネルギーは大きく成る(１０)。
例えば、Cの場合、低エネルギーの軌道で、中性子の塊はできた。それで、中性子の数は12個です。そして、電子1個のエネルギーは、3.960×10-15Jです。中性子1個のエネルギーは、3.960×10-15J×1.8387×103です。
例えば、Pb(82)の場合、高エネルギーの軌道で、中性子の塊はできた。それで、中性子の数は207個です。そして、電子1個のエネルギーは、1.228×10-12Jです。中性子1個のエネルギーは、1.228×10-12J×1.8387×103です。
・１つは中性子の塊がどのように成っているかについてである。
1個の元素は1個の中性子の塊でできる。中性子の塊は球形に成っている。
中性子の塊は層になっている。中性子の塊は層になり、球体に成っている。中性子の塊は球体の層に成っている。
中性子の塊は球形に成っていて、高エネルギーの中性子程中心の球体の層に存在している。低エネルギーの中性子程外側の球体の層に存在している。
高エネルギーの軌道に成る程、中性子の塊の層数は増加する。    
中性子の数は電子の数の約2倍ですから2×電子の数です。
中性子は2種類の中性子があります。
1種類は中性子が陽子のラブと電子のラブに崩壊する中性子です。
2種類は中性子のままでいる中性子です。
中性子のままでいる中性子の方が陽子と電子に崩壊する中性子より高エネルギーであり、軌道は小さい。それで、中性子のままでいる中性子の方が内側の軌道に存在する。
【請求項２０】
中性子の塊はどのように成っているか。
○中性子の塊の層が１層の場合。
1層には2列の中性子が公転しています。
外側の列の軌道を、陽子のラブと電子のラブに崩壊する中性子が公転します。
内側の列の軌道を中性子のままでいる中性子が公転します。
K殻には2個の電子が存在しますから、中性子の数は2×2個です。
・Hの中性子は2個です。これは1層の中性子であり、2列の中性子です。
外側の列の軌道を、陽子のラブと電子のラブに崩壊する中性子1個が公転します。
内側の列の軌道を中性子のままでいる中性子1個が公転します。
・Heの中性子は4個です。これは1層の中性子であり、2列の中性子です。
外側の列の軌道を、陽子のラブと電子のラブに崩壊する中性子2個が公転します。
内側の列の軌道を中性子のままでいる中性子2個が公転します。
崩壊後電子のラブはK殻を公転します。
○中性子の塊の層が2層の場合。
1層には2列の中性子が公転しています。
外側の列の軌道を、陽子のラブと電子のラブに崩壊する中性子が2個公転します。
内側の列の軌道を中性子のままでいる中性子が2個公転します。
L殻には8個の電子が存在します。これは2×22個＝8個です。中性子の数は2×2×22個＝16個です。それで、第1世代の恒星の中で、この中性子の塊は2層です。
1層には4個の中性子が存在します。
L殻は、LiからNeまでの１段とNaからArまでの1段で合計2段です。
Liの中性子の数は4+3=7個です。Neの中性子の数は6+2×7=20個です。
Naの中性子の数は20+3=23個です。Arの中性子の数は23+2×7=37のはずですが、40個です。中性子の数が3個増加しています。
・Liの中性子の数は4+3=7個です。これは2層の中性子であり、2列の中性子です。
1層には4個の中性子が存在します。
2層目の列は、
外側の列の軌道を、陽子のラブと電子のラブに崩壊する中性子1個が公転します。
内側の列の軌道を中性子のままでいる中性子2個が公転します。
・Neの中性子の数は6+2×7=20個です。
1層には4個の中性子が存在します。
2層目の列は、
外側の列の軌道を、陽子のラブと電子のラブに崩壊する中性子8個が公転します。
内側の列の軌道を中性子のままでいる中性子8個が公転します。
・Naの中性子の数は20+3=23個です
1層には4個の中性子が存在します。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子1個が公転します。
内側の列の軌道を中性子のままでいる中性子2個が公転します。
・Arの中性子の数は23+2×7=37のはずですが、40個です。中性子の数が3個増加しています。
1層には4個の中性子が存在します。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子1+8+3個が公転します。
○中性子の塊の層が3層の場合。
1層には2列の中性子が公転しています。
外側の列の軌道を、陽子のラブと電子のラブに崩壊する中性子が公転します。
内側の列の軌道を中性子のままでいる中性子が公転します。
M殻には18個の電子が存在します。これは2×32個＝18個です。中性子の数は2×2×32個＝36個です。それで、第1世代の恒星の中で、この中性子の塊は3層です。
1層には4個の中性子が存在します。
2層目の1段には16個2段目には16個＝32個の中性子が存在します。
M殻はKからKrまでの1段と、RbからXeまでの1段で合計2段です。
・Kの中性子数は36+3=39個です。
1層には4個の中性子が存在します。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子1個が公転します。
内側の列の軌道を中性子のままでいる中性子1+1個が公転します。
・Krの中性子の数は、39+2×17=73個のはずですが、83個です。中性子の数が10個増加しています。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
Rbの中性子の数は83+2=85個です。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子1個が公転します。
内側の列の軌道を中性子のままでいる中性子1個が公転します
・Xeの中性子の数は、85+2×17=119個のはずですが、131個です。中性子の数が12個増加しています。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
・○中性子の塊の層が4層の場合。
1層には2列の中性子が公転しています。
外側の列の軌道を、陽子のラブと電子のラブに崩壊する中性子が公転します。
内側の列の軌道を中性子のままでいる中性子が公転します
N殻には32個の電子が存在します。これは2×42個＝32個です。中性子の数は2×32＝64個です。それで、第1世代の恒星の中で、この中性子の塊は4層です。
1層目には4個の中性子が存在します。
2層目には16個の中性子が存在します。
3層目には36個の中性子が存在します。
・Csの中性子の数は131+2=133個です
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
4層目の1段の列は、
外側の列の軌道を、陽子のラブと電子のラブに崩壊する中性子1個が公転します。
内側の列の軌道を中性子のままでいる中性子1個が公転します。
・Rnの中性子の数は、133＋2×31=195個のはずですが、222個です。中性子の数が222-195=27個増加しています。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
4層目の1段の列は、
外側の列の軌道を、陽子のラブと電子のラブに崩壊する中性子32個が公転します。
内側の列の軌道を中性子のままでいる中性子32+27個が公転します。
・Frの中性子の数は222+１=223個です。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
4層目の1段の列は、
外側の列の軌道を、陽子のラブと電子のラブに崩壊する中性子32個が公転します。
内側の列の軌道を中性子のままでいる中性子32+27個が公転します。
4層目の2段の列は、
外側の列の軌道を、陽子のラブと電子のラブに崩壊する中性子1個が公転します。
内側の列の軌道を中性子のままでいる中性子0個が公転します。
・UUOの中性子の数は、223+1＋2×31＝286個のはずですが、294個です。中性子の数が294-286＝8個増加しています。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
4層目の1段の列は、
外側の列の軌道を、陽子のラブと電子のラブに崩壊する中性子32個が公転します。
内側の列の軌道を中性子のままでいる中性子32+27個が公転します。
4層目の2段の列は、
外側の列の軌道を、陽子のラブと電子のラブに崩壊する中性子32個が公転します。
内側の列の軌道を中性子のままでいる中性子32+8個が公転します。
中性子の塊は層になり、球体に成っている。中性子の塊の中央の層ほど中性子の数は少なく、中央の層ほど中性子のエネルギーは大きい。
例えば、Auの場合。
Auの中性子の数は197個です。陽子と電子の数は79個です。
1層には4個の中性子が存在します。
外側の列の軌道を、陽子のラブと電子のラブに崩壊する中性子2個が公転します。
内側の列の軌道を中性子のままでいる中性子2個が公転します。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
4層目の1段の列は、
外側の列の軌道を、陽子のラブと電子のラブに崩壊する中性子32個が公転します。
内側の列の軌道を中性子のままでいる中性子32+27個が公転します。
4層目の1段の列は
外側の列の軌道を、陽子のラブと電子のラブに崩壊する中性子の数は、79-2-8-8-18-18＝25個です。
内側の列の軌道を中性子のままでいる中性子は、197-79--2-8-8-(1+18+10)-( 18+12)-( 32+27)=18個です。
それでは実際Auに成る中性子の塊はどのようであるか。
表１１よりAuのK殻の電子のラブの公転軌道とエネルギーが解る。AuのL殻の電子のラブの公転軌道とエネルギーが解る。AuのM殻の電子のラブの公転軌道とエネルギーが解る。
この事により、地表のAuの原子核のK2´殻の中性子のラブの公転軌道とエネルギーが解る。地表のAuの原子核のL2´殻の中性子のラブの公転軌道とエネルギーが解る。地表のAuの原子核のM2´殻の中性子のラブの公転軌道とエネルギーが解る。
中性子のラブのエネルギーは1.8387×103倍であり、公転軌道は1.8387×103分の1です。
Au(79)のK殻を回転する電子のラブの公転軌道＝K吸収端の軌道  とした場合の、電子のラブのエネルギー。
表３２
2018038098.tif 000289
○表１４より、Auの原子核の中のK2´殻の中性子のラブのエネルギーと公転軌道とL2´殻の中性子のラブのエネルギーと公転軌道とM2´殻の中性子のラブのエネルギーと公転軌道を理解できる。
・原子核の中のK2´殻の中性子のラブのエネルギーと公転軌道はいくらか。
K殻を回転する電子のラブの公転軌道の大きさがK吸収端の軌道と同じ大きさであるとすると、電子のラブのエネルギーは1.133×10-12Jですから、地表のAuの原子核のK2´殻の中性子のラブのエネルギーは、1.133×10-12J×1.8387×103＝2.083×10-9J、です。
中性子のラブの公転軌道は、7.650×10-12m÷(1.8387×103)＝4.161×10-15m、です。
・原子核の中のL2´殻の中性子のラブのエネルギーと公転軌道はいくらか。
L殻を回転する電子のラブの公転軌道の大きさが、L系γ1の軌道と同じ大きさであるとすると、電子のラブのエネルギーは1.869×10-13Jですから、地表のAuの原子核のL2´殻の中性子のラブのエネルギーは、1.869×10-13J×1.8387×103＝3.437×10-10J、です。
中性子のラブの公転軌道は、4.635×10-11m÷(1.8387×103)＝2.521×10-14m、です。
・原子核の中のM2´殻の中性子のラブのエネルギーと公転軌道はいくらか。
M殻を回転する電子のラブの公転軌道の大きさが、M系γの軌道と同じ大きさであるとすると、電子のラブのエネルギーは3.368×10-14Jですから、地表のAuの原子核のL2´殻の中性子のラブのエネルギーは、3.368×10-14J×1.8387×103＝6.193×10-11J、です。
中性子のラブの公転軌道は2.573×10-10m÷(1.8387×103)＝1.399×10-13m、です。
○表10より、第1世代の恒星の中で、Auの中性子の塊ができる場のAが解る。
これによって、第1世代の恒星の中で、軌道は地表の軌道のA分の１であり、エネルギーは地表のA倍であると理解できる。
Au(79)の第1世代の恒星の中の中性子の塊のエネルギーと中性子の塊ができた場のA
表３３
2018038098.tif 000290
○表1５より、第1世代の恒星の中で、Auの中性子の、K3´殻の中性子のラブのエネルギーと公転軌道を理解できる。
第1世代の恒星の中で、Auの中性子の塊ができる場のAは2.519×105ですから、エネルギーは2.519×105倍であった。公転軌道は2.519×105分の1であった。
第1世代の恒星の中で、Auの中性子の塊の、K3´殻の中性子のラブのエネルギーは、2.083×10-9J×2.519×105＝5.247×10-4J、です。
K3´殻の中性子のラブの公転軌道は、4.161×10-15m÷(2.519×105)＝1.652×10-20m、です。
第1世代の恒星の中で、Auの中性子の塊の、L3´殻の中性子のラブのエネルギーは、3.437×10-10J×2.519×105＝8.658×10-5J、です。
L3´殻の中性子のラブの公転軌道は、2.521×10-14m÷(2.519×105)＝1.001×10-19m、です。
第1世代の恒星の中で、Auの中性子の塊の、M3´殻の中性子のラブのエネルギーは、6.193×10-11J×2.519×105＝1.560×10-5J、です。
M3´殻の中性子のラブの公転軌道は、1.399×10-13m÷(2.519×105)＝5554×10-19m、です。
Auの原子核の中のK2´殻の中性子のラブの公転軌道とエネルギーと、原子核の中のL2´殻の中性子のラブの公転軌道とエネルギーと、原子核の中のM2´殻の中性子のラブの公転軌道とエネルギー
第1世代の恒星の中で、Auの中性子の、K3´殻の中性子のラブの公転軌道とエネルギーと、第1世代の恒星の中で、Auの中性子の塊の、L3´殻の中性子のラブの公転軌道とエネルギーと、第1世代の恒星の中で、Auの中性子の、M3´殻の中性子のラブの公転軌道とエネルギー
Au(79)の各層の中性子の数と、K殻の電子のラブのエネルギーと公転軌道と、原子核の中のK2´殻の中性子のラブのエネルギー公転軌道と、第1世代の恒星の中の、Auの中性子の、K3´殻の中性子のラブのエネルギーと公転軌道。L殻とM殻の場合も同様です。
表３４
2018038098.tif 000291
2018038098.tif 000292
○第1世代の恒星の中で、Auの中性子の塊はどのようであるか。約50億年前のAuの姿はどのようであるか。
第1世代の恒星の中性子の塊の状態を基に考える。
第1世代の恒星の中央部の軌道の中性子の塊について2つの場合について考えなければならない
・１つは、中性子の塊が第1世代の恒星の中のどのエネルギーの軌道でできたかについてである。
Auの中性子の塊は第1世代の恒星の中のA＝2.519×105の軌道でできた。
・１つは中性子の塊がどのように成っているかについてである。
1個の元素は1個の中性子の塊でできる。中性子の塊は球形に成っている。
中性子の塊は層になっている。中性子の塊は層になり、球体に成っている。中性子の塊は球体の層に成っている。
Auの中性子の塊は4層になっている。
中性子の塊は層になり、球体に成っている。中性子の塊は球体の層に成っている。
Auの中性子の数は197個です。陽子と電子の数は79個です。
1層目について。
1層には4個の中性子が存在します。
外側の列の軌道を、陽子のラブと電子のラブに崩壊する中性子2個が公転します。崩壊後、電子のラブはK殻を公転し、陽子のラブは原子核の中のK´殻を公転します。
内側の列の軌道を中性子のままでいる中性子2個が公転します。崩壊後、中性子のラブは原子核の中のK2´殻を公転します。
第1世代の恒星の中で、Auの中性子の塊ができる場の、K3´殻の中性子のラブのエネルギーは、2.083×10-9J×2.519×105＝5.247×10-4J、です。
中性子のラブの公転軌道は、4.161×10-15m÷(2.519×105)＝1.652×10-20m、です。
それで、1.652×10-20mの外側の列の軌道を、陽子のラブと電子のラブに崩壊する中性子2個が公転します。
1.652×10-20m内側の列の軌道を中性子のままでいる中性子2個が公転します。
2層目について。
2層目の1段の列は、
外側の列の軌道を、陽子のラブと電子のラブに崩壊する中性子8個が公転します。崩壊後、電子のラブはL殻を公転し、陽子のラブは原子核の中のL´殻を公転します。
内側の列の軌道を中性子のままでいる中性子8個が公転します。崩壊後、中性子のラブは原子核の中のL2´殻を公転します。
2層目の2段の列は、
外側の列の軌道を、陽子のラブと電子のラブに崩壊する中性子8個が公転します。
内側の列の軌道を中性子のままでいる中性子8個が公転します。
第1世代の恒星の中で、Auの中性子の塊ができる場の、L3´殻の中性子のラブのエネルギーは、3.437×10-10J×2.519×105＝8.658×10-5J、です。
中性子のラブの公転軌道は、2.521×10-14m÷(2.519×105)＝1.001×10-20m、です。
それで、2層目の1段の列は、
1.001×10-20mの外側の列の軌道を、陽子のラブと電子のラブに崩壊する中性子8個が公転します。
1.001×10-20mの内側の列の軌道を中性子のままでいる中性子8個が公転します。
2層目の2段の列は、
1.001×10-20mより大きい外側の列の軌道を、陽子のラブと電子のラブに崩壊する中性子8個が公転します。
1.001×10-20mより大きい内側の列の軌道を中性子のままでいる中性子8個が公転します。
3層目について。
3層目の1段の列は、
外側の列の軌道を、陽子のラブと電子のラブに崩壊する中性子18個が公転します。崩壊後、電子のラブはM殻を公転し、陽子のラブは原子核の中のM´殻を公転します。
内側の列の軌道を中性子のままでいる中性子1+18+10個が公転します。崩壊後、中性子のラブは原子核の中のM2´殻を公転します。
3層目の2段の列は、
外側の列の軌道を、陽子のラブと電子のラブに崩壊する中性子18個が公転します。
内側の列の軌道を中性子のままでいる中性子18+12個が公転します。
第1世代の恒星の中で、Auの中性子の塊ができる場の、M3´殻の中性子のラブのエネルギーは、6.193×10-11J×2.519×105＝1.560×10-5J、です。
中性子のラブの公転軌道は、1.399×10-13m÷(2.519×105)＝5554×10-19m、です。
それで、3層目の1段の列は、
5554×10-19mの外側の列の軌道を、陽子のラブと電子のラブに崩壊する中性子18個が公転します。
5554×10-19mの内側の列の軌道を中性子のままでいる中性子1+18+10個が公転します。
3層目の2段の列は、
5554×10-19mより大きい外側の列の軌道を、陽子のラブと電子のラブに崩壊する中性子18個が公転します。
5554×10-19mより大きい内側の列の軌道を中性子のままでいる中性子18+12個が公転します。
4層目について。
4層目は、
外側の列の軌道を、陽子のラブと電子のラブに崩壊する中性子のラブ25個が公転します。
内側の列の軌道を中性子のままでいる中性子のラブ41個が公転します。
【請求項２１】
K殻を回転する電子のラブの公転軌道の大きさがK吸収端の軌道と同じ大きさであるとするとし、L殻を回転する電子のラブの公転軌道の大きさが、L系γ1の軌道と同じ大きさであるとし、M殻を回転する電子のラブの公転軌道の大きさが、M系γの軌道と同じ大きさであるとする場合、第1世代の恒星の中で、元素の中性子の塊の、K3´殻の中性子のラブの公転軌道とエネルギーはいくらか。第1世代の恒星の中で、元素の中性子の塊の、L3´殻の中性子のラブの公転軌道とエネルギーはいくらか。第1世代の恒星の中で、元素の中性子の塊の、M3´殻の中性子のラブの公転軌道とエネルギーはいくらか。
第1世代の恒星の中で、元素の中性子の塊の、K3´殻の中性子のラブの公転軌道＝K殻の電子のラブの軌道÷(1.8387×103)÷中性子の塊ができる場のA
第1世代の恒星の中で、元素の中性子の塊の、K3´殻の中性子のラブのエネルギー＝K殻の電子のラブのエネルギー×1.8387×103×中性子の塊ができる場のA
第1世代の恒星の中で、元素の中性子の塊の、L3´殻の中性子のラブの公転軌道＝L殻の電子のラブの軌道÷(1.8387×103)÷中性子の塊ができる場のA
第1世代の恒星の中で、元素の中性子の塊の、L3´殻の中性子のラブのエネルギー＝L殻の電子のラブのエネルギー×1.8387×103×中性子の塊ができる場のA
第1世代の恒星の中で、元素の中性子の塊の、M3´殻の中性子のラブの公転軌道＝M殻の電子のラブの軌道÷(1.8387×103)÷中性子の塊ができる場のA
第1世代の恒星の中で、元素の中性子の塊の、M3´殻の中性子のラブのエネルギー＝M殻の電子のラブのエネルギー×1.8387×103×中性子の塊ができる場のA
第1世代の恒星の中で、元素の中性子の塊の、K3´殻の中性子のラブの公転軌道とエネルギー
第1世代の恒星の中で、元素の中性子の塊の、L3´殻の中性子のラブの公転軌道とエネルギー
第1世代の恒星の中で、元素の中性子の塊の、M3´殻の中性子のラブの公転軌道とエネルギー
表３５
2018038098.tif 000293
2018038098.tif 000294
2018038098.tif 000295
2018038098.tif 000296
2018038098.tif 000297
2018038098.tif 000298
2018038098.tif 000299
2018038098.tif 000300
2018038098.tif 000301
2018038098.tif 000302
2018038098.tif 000303
2018038098.tif 000304
この表により理解できる事
1．各々の元素が第１世代の恒星のなかで、どのような様子であったかが理解できる。
2．現在、元素のK殻を公転している電子のラブと原子核のK´殻を公転している陽子のラブは、はるか約50億年前には、第1世代の恒星のなかの中性子の塊の中で、この表の、K3´殻の中性子のラブの公転軌道を公転していた。
3．現在、元素のK殻を公転している電子のラブのエネルギーと原子核のK´殻を公転している陽子のラブのエネルギーは、はるか約50億年前には、第1世代の恒星のなかの中性子の塊の中で、この表の、K3´殻の中性子のラブのエネルギーだった。
4．現在、元素のL殻を公転している電子のラブと原子核のL´殻を公転している陽子のラブは、はるか約50億年前には、第1世代の恒星のなかの中性子の塊の中で、この表の、L3´殻の中性子のラブの公転軌道を公転していた。
5．現在、元素のL殻を公転している電子のラブのエネルギーと原子核のL´殻を公転している陽子のラブのエネルギーは、はるか約60億年前には、第1世代の恒星のなかの中性子の塊の中で、この表の、L3´殻の中性子のラブのエネルギーだった。
6．現在、元素のM殻を公転している電子のラブと原子核のM´殻を公転している陽子のラブは、はるか約60億年前には、第1世代の恒星のなかの中性子の塊の中で、この表の、M3´殻の中性子のラブの公転軌道を公転していた。
7．現在、元素のM殻を公転している電子のラブのエネルギーと原子核のM´殻を公転している陽子のラブのエネルギーは、はるか約60億年前には、第1世代の恒星のなかの中性子の塊の中で、この表の、M3´殻の中性子のラブのエネルギーだった。
8．この表は元素が生まれる以前(超新星の爆発の以前)のお母さん(第１世代の恒星)のお腹の中にいるときの状態を示す。
【請求項２２】
元素ができる前段階の、第1世代の恒星の中で、元素の中性子の塊の層はどのようであるか。
第1世代の恒星の中で、元素の中性子の塊の、K3´殻の中性子のラブの公転軌道には、1層目に2個×2列=4個の中性子が公転する。
第1世代の恒星の中で、元素の中性子の塊の、L3´殻の中性子のラブの公転軌道には、2層目の1段に8個×2列=16個、2段に8個×2列=16個の中性子が公転する。
第1世代の恒星の中で、元素の中性子の塊の、M3´殻の中性子のラブの公転軌道には、3層目の1段に18個+1個+18個+10個=47個、2段に18個+18個+12個=48個の中性子が公転する。
元素ができる前段階の、第1世代の恒星の中で、元素の中性子の塊の層はどのようであるか。
元素の中性子の塊の1層目の軌道はK3´殻の中性子のラブの公転軌道であり、そこには4個の中性子が公転する。
元素の中性子の塊の2層目の軌道はL3´殻の中性子のラブの公転軌道であり、そこには1段に8個×2列=16個、2段に8個×2列=16個の中性子が公転する。
元素の中性子の塊の3層目の軌道はM3´殻の中性子のラブの公転軌道であり、そこには1段に18個+1個+18個+10個=47個、2段に18個+18個+12個=48個の中性子が公転する。
表３６
2018038098.tif 000305
2018038098.tif 000306
2018038098.tif 000307
2018038098.tif 000308
この表がどのように中性子の塊に成り、１層目、2層目、3層目の球体の層に成っているかを図示する。
【請求項２３】
元素はビッグバンの時できたのではない理由。
１．中性子の数は陽子や電子の数より多い。そして、質量エネルギーの大きい元素程高エネルギーの場でできたので、陽子と電子に崩壊しなかった中性子の数は多い。表10
2．元素の種類によって、、電子1個のエネルギーが異なる。この事は元素によって、陽子のエネルギーも異なる事を意味する。元素は同じエネルギーの中性子よりできたのではない事を証明している。
3．元素の種類によって、K殻を回転する電子のエネルギーが異なる。原子番号の大きい元素程高エネルギーの電子である。この事は原子番号の大きい元素程高エネルギーの場でできた事を証明する。もし、宇宙の中性子の集合によってできたならば、宇宙には原子番号の大きい元素程、数多く存在するはずです。高エネルギーの場で、引力が大きい場でできたからです。しかし、現実に、重い元素程存在度は低い。
4．もし、ビッグバンの時中性子が存在し、それが原料となり、元素ができたのならば、中性子は10−8秒の内に陽子と電子に崩壊するので、電子と陽子が中性子から崩壊してできるとするなら、その反応は10−8秒の内に行われなければならない。その反応はとても簡単な反応です。Heまでの反応です。宇宙空間に水素とHeが多く存在するのはこのためです。1段階で進む反応です。1個の中性子から水素ができ、2個の中性子からHeができた。これが10−8秒の内に行われた反応です。
5．高エネルギーの元素程高引力の環境で合成される。高エネルギーの中性子から高エネルギーの元素ができる。ビッグバンでできた原子は高エネルギーの原子から低エネルギーの原子に成った。高エネルギーの原子や中性子の密度は大きく引力も大きい。よって、元素がビッグバンの時できたのであれば、高エネルギーの元素の方が多量に存在するはずです。しかし、高エネルギーの元素の存在度は低い。
6．元素の存在度は低エネルギーの元素から高エネルギーの元素に成るに従って、存在度は規則的に低くなる。この事は、元素は恒星の中でできたのであり、ビッグバン後の宇宙の広がりの中でできたのではない。
7．元素は中性子からできる。ビッグバンで、中性子ができたのであれば、質量のあるニュートリノは宇宙に満ちている事に成る。
【発明の詳細な説明】
【技術分野】
【０００１】
本発明は、特性X線のエネルギーと殻の電子の公転軌道とエネルギーと、原子核の中の陽子の公転軌道とエネルギーと中性子の公転軌道とエネルギーと、第1世代の恒星の中で、元素の基である中性子の塊がができた場のAと、第1世代の恒星の中で、中性子の塊はどのようであったか。約60億年前の元素はどのようであったか、に関するものである。
【背景技術】
【０００２】
2014年4月1日に提出した、特願2014-075852  「星の中央の中性子の塊と引力と宇宙の初期の中性子の塊と引力でできる元素」の「請求項3」星の中央の中性子の様子はどのようであるか。この考えは、2012年8月2日に提出した、特願2012-172394の「請求項6」「請求項7」「請求項8」「請求項9」「請求項10」「請求項11」「請求項12」に記した。しかし、中性子の塊の大きさが間違っていたので、再考する。「請求項4」塊の体積はどのようであるか。「請求項5」星の中央の中性子の電子のラブの軌道はいくらか。「請求項6」中性子が１秒間に作る磁気の光子のエネルギーはいくらか。「請求項7」中性子と中性子の間の引力はいくらか。「請求項8」Aを用いて中性子と中性子の間の引力を計算する場合はどのようであるか。「請求項9」どうして、ブラックホールまでの硬さになると、超新星爆発後、元素はできないか。を記した。
2015年10月14日に提出した、特願2015-202524の「請求項15」に於いて、内殻電子の外側の軌道のエネルギーは、外殻電子の外側の軌道のエネルギーより大きい。内殻電子の外側の軌道は、外殻電子の外側の軌道より小さい。それで、外核電子が内殻電子に入り込むとき、余分な外側の軌道の部分を放出する。これが特性X線です。と記した。
【先行技術文献】
【特許文献】
【０００３】
【特許文献１】特願2012-172394
【特許文献１】特願2014-075852
【特許文献１】特願2015-202524
【発明の概要】
【発明が解決しようとする課題】
【０００４】
１．K吸収端のエネルギーはいくらか。
2．K吸収端は何を意味するか。
3、K吸収端から電子のラブの公転軌道とエネルギーを求める。
4．K殻の電子のラブの公転軌道とエネルギーはいくらか。
5．K系の特性X線の波長とエネルギーはいくらか。
6．L系の特性X線の波長とエネルギーはいくらか。
7．M系の特性X線の波長とエネルギーはいくらか。
8．K系の軌道のエネルギーはいくらか。L 系の軌道のエネルギーはいくらか。K系α1,2150個のエネルギーはL系α110個のエネルギーの何倍か。
9．K吸収端の波長からK殻の電子のラブの公転軌道とK殻の電子のラブのエネルギーが求められた。L殻の電子のラブの公転軌道と電子のラブのエネルギーはいくらか。M殻の電子のラブの公転軌道と電子のラブのエネルギーはいくらか。
10．特性X線から求めた各々の元素の電子のラブの公転軌道はいくらか。電子のラブの公転軌道と最も小さい特性X線の軌道を比較する。
11．第1世代の恒星の中の中性子の塊のエネルギーの式と、中性子の塊がができた場のAの式はどのようであるか。
12第1世代の恒星の中の元素に成る中性子の塊がができた場のAはいくらか。  (Cの電子のラブの公転軌道は、K吸収端の波長の2.4185×10-2倍とする場合)
13．電子のラブの軌道がK吸収端の軌道であるとすると、電子のラブのエネルギーと第1世代の恒星の中の中性子の塊のエネルギーと中性子の塊がができた場のAはいくらか。
14．K吸収端の軌道はK殻を公転する電子のラブの公転軌道の大きさに近い。L系γ1の軌道はL殻を回転する電子のラブの公転軌道の大きさに近い。M系γの軌道はM殻を回転する電子のラブの公転軌道の大きさに近い。その事の証明。
15．K殻を回転する電子のラブの公転軌道の大きさがK吸収端の軌道と同じ大きさであるとすると、電子のラブのエネルギーはいくらか。L殻を回転する電子のラブの公転軌道の大きさが、L系γ1の軌道と同じ大きさであるとすると、電子のラブのエネルギーはいくらか。M殻を回転する電子のラブの公転軌道の大きさが、M系γの軌道と同じ大きさであるとすると、電子のラブのエネルギーはいくらか。
16．原子核はどのようにでき、原子核の中はどのようであるか。
17．原子核の中の軌道とエネルギー
18．K殻の軌道とK殻を公転する電子のラブの公転軌道は同じ大きさです。L殻の軌道とL殻を公転する電子のラブの公転軌道は同じ大きさです。M殻の軌道とM殻を公転する電子のラブの公転軌道は同じ大きさです。原子核のK´殻を回転する陽子のラブの公転軌道と原子核のK´殻の大きさは同じ大きさです。原子核のL´殻を回転する陽子のラブの公転軌道と原子核のL´殻の大きさは同じ大きさです。原子核のM´殻を回転する陽子のラブの公転軌道と原子核のM´殻の大きさは同じ大きさです。原子核のK2´殻の軌道と原子核のK2´殻の軌道を公転する中性子のラブの公転軌道は同じ大きさです。原子核のL2´殻の軌道と原子核のL2´殻の軌道を公転する中性子のラブの公転軌道は同じ大きさです。原子核のM2´殻の軌道と原子核のM2´殻の軌道を公転する中性子のラブの公転軌道は同じ大きさです。
19．第1世代の恒星の中性子の塊の状態
20．中性子の塊はどのように成っているか。
21．K殻を回転する電子のラブの公転軌道の大きさがK吸収端の軌道と同じ大きさであるとするとし、L殻を回転する電子のラブの公転軌道の大きさが、L系γ1の軌道と同じ大きさであるとし、M殻を回転する電子のラブの公転軌道の大きさが、M系γの軌道と同じ大きさであるとする場合、第1世代の恒星の中で、元素の中性子の塊の、K3´殻の中性子のラブの公転軌道とエネルギーはいくらか。第1世代の恒星の中で、元素の中性子の塊の、L3´殻の中性子のラブの公転軌道とエネルギーはいくらか。第1世代の恒星の中で、元素の中性子の塊の、M3´殻の中性子のラブの公転軌道とエネルギーはいくらか。
22．元素ができる前段階の、第1世代の恒星の中で、元素の中性子性の塊の層はどのようであるか。
23．元素はビッグバンの時できたのではない理由。
【課題を解決するための手段】
【０００５】
１．C(原子番号6)のK吸収端は4.3767×10-9mです。このK吸収端のエネルギーは、1.233×10-41Jm÷軌道＝1.233×10-41Jm÷(4.3767×10-9m÷2)＝5.634×10-33Jです。
この式によりK吸収端のエネルギーを計算する。
2．K吸収端は電子のラブの公転軌道の外側の最も近い軌道を回転する電磁気達の軌道です。
3．Cの電子の質量エネルギーを、0.511MeV＝1.602×10-19J×106×0.511＝8.186×10-14Jとする。その公転軌道は8.665×10-24Jm÷(8.186×10-14J)＝1.0585×10-10mです。
・Cの電子のラブの公転軌道は、K吸収端の波長の何倍か。
○それで、電子のラブの公転軌道は、K吸収端の波長の2.4185×10-2倍とする。
Cの場合、電子のエネルギー＝3.5828×10-22÷K吸収端の波長＝3.5828×10-22÷(4.3767×10-9m)＝8.186×10-14J、です。
この事から、K系吸収端の波長から各元素の電子のラブの公転軌道と電子のエネルギーを計算できる。
4．K吸収端からK殻の電子ラブの軌道と電子のラブのエネルギーを求める。
Cの電子のラブの公転軌道は、K吸収端の波長の2.4185×10-2倍とする。
電子のラブの公転軌道＝K吸収端の波長×2.4185×10-2
電子のラブのエネルギー＝3.5828×10-22÷K吸収端の波長
5．特性X線のエネルギー＝1.233×10-41Jm÷(波長÷2)＝2.466×10-41Jm÷波長、の式で計算する。
6．特性X線のエネルギー＝1.233×10-41Jm÷(波長÷2)＝2.466×10-41Jm÷波長、の式で計算する。
7．特性X線のエネルギー＝1.233×10-41Jm÷(波長÷2)＝2.466×10-41Jm÷波長、の式で計算する。
8．K系の特性X線α1,2の軌道のエネルギー＝特性X線α1,2のエネルギー×特性X線α1,2の強度、です。強度を特性X線の個数と見做す。
9．特性X線のエネルギーは電子のラブの公転によってできる。
特性X線のエネルギーの大きい場では、電子のエネルギーは大きい。特性X線のエネルギーの小さい場では、電子のエネルギーは小さい。
それで、L殻の電子のエネルギー＝K殻の電子のエネルギー×L系のX線のエネルギー÷K系のX線のエネルギー
10．電子のラブの公転軌道は最も小さい特性X線の軌道より小さい。それで、電子のラブの公転軌道と最も小さい特性X線の軌道を比較する。
電子のラブの公転軌道＝8.665×10-24Jm÷電子のラブのエネルギー。この式から各々の元素の電子のラブの公転軌道を求める。
11．第1世代の恒星の中の中性子の塊のエネルギー＝K殻の電子のエネルギー×1838.679 ×(第1世代の恒星の1個の塊の中の中性子の数÷2)1/2
よって、中性子の塊がができた場のA＝第1世代の恒星の中の中性子の塊のエネルギー÷地表の電子のエネルギー＝K殻の電子のエネルギー×1838.679 ×(第1世代の恒星の1個の塊の中の中性子の数÷2)1/2÷(8.187×10-14J)
12．電子のラブの公転軌道＝K吸収端の波長の2.4185×10-2
電子のラブのエネルギー＝3.5828×10-22÷K吸収端の波長
第1世代の恒星の中の中性子の塊のエネルギー＝K殻の電子のエネルギー×1838.679×(第1世代の恒星の1個の塊の中の中性子の数÷2)1/2
中性子の塊がができた場のA＝第1世代の恒星の中の中性子の塊のエネルギー÷(8.187×10-14J)
この式により計算する。
13．K殻を回転する電子のラブの公転軌道＝K吸収端の軌道
第1世代の恒星の中の中性子の塊のエネルギー＝K殻の電子のエネルギー×1838.679×(第1世代の恒星の1個の塊の中の中性子の数÷2)1/2
中性子の塊がができた場のA＝第1世代の恒星の中の中性子の塊のエネルギー÷地表の電子のエネルギー＝第1世代の恒星の中の中性子の塊のエネルギー÷(8.187×10-14J)
この式により計算する。
14．特性X線は電子のラブが作った電磁気で、電子のラブの公転軌道の周囲の軌道を回転している。最も電子のラブの公転軌道に近い特性X線は最も軌道の小さい特性X線です。
15．K殻を回転する電子のラブの公転軌道の大きさがK吸収端の軌道と同じ大きさであるとすると、電子のラブのエネルギー＝8.665×10-24Jm÷K吸収端の軌道。
L殻を回転する電子のラブの公転軌道の大きさが、L系γ1の軌道と同じ大きさであるとすると、電子のラブのエネルギー＝8.665×10-24Jm÷L系γ1の軌道。
M殻を回転する電子のラブの公転軌道の大きさが、M系γの軌道と同じ大きさであるとすると、電子のラブのエネルギー＝8.665×10-24Jm÷M系γの軌道。
16．原子核の陽子と中性子は第1世代の恒星の中央部の中性子の塊の各層の中性子が崩壊してできる。
高エネルギーの中性子から高エネルギーの電子のラブと高エネルギーの陽子のラブができる。
・中性子の塊の層が3層の場合。(RbからXeの場合)
例えば、Sn(50)の場合、中性子の塊の層は3層です。中性子の数は118個です。
17．原子核の中のK´殻を回転する陽子のラブの公転軌道＝K殻を回転する電子のラブの公転軌道÷1836．
原子核の中のK´殻を回転する陽子のラブのエネルギー＝K殻を回転する電子のラブのエネルギー×1836．
原子核の中のL´殻を回転する陽子のラブの公転軌道＝L殻を回転する電子のラブの公転軌道÷1836．
原子核の中のL´殻を回転する陽子のラブのエネルギー＝K殻を回転する電子のラブのエネルギー×1836．
原子核の中のM´殻を回転する陽子のラブの公転軌道＝M殻を回転する電子のラブの公転軌道÷1836．
原子核の中のM´殻を回転する陽子のラブのエネルギー＝M殻を回転する電子のラブのエネルギー×1836．
原子核の中のK2´殻を回転する中性子のラブの公転軌道＝K殻を回転する電子のラブの公転軌道÷(1.8387×103)．
原子核の中のK2´殻を回転する中性子のラブのエネルギー＝K殻を回転する電子のラブのエネルギー×1.8387×103．
原子核の中のL2´殻を回転する中性子のラブの公転軌道＝L殻を回転する電子のラブの公転軌道÷(1.8387×103)．
原子核の中のL2´殻を回転する中性子のラブのエネルギー＝L殻を回転する電子のラブのエネルギー×1.8387×103．
原子核の中のM2´殻を回転する中性子のラブの公転軌道＝M殻を回転する電子のラブの公転軌道÷(1.8387×103)．
原子核の中のM2´殻を回転する中性子のラブのエネルギー＝M殻を回転する電子のラブのエネルギー×1.8387×103．
18．K殻の軌道と何か。
K殻の軌道とは電子のラブが自転しながら公転する軌道です。
K殻の軌道とは電子のラブが１〜2個乗って自転しながら公転する軌道です。
K殻の軌道とは電子のラブの公転軌道です。
19．第1世代の恒星の中央部の中性子の塊について2つの場合について考えなければならない
１つは、1つの中性子の塊が第1世代の恒星の中のどのエネルギーの軌道でできたかである。これは中性子の塊ができる場のAについてである。これは表10に示す。
１つは中性子の塊がどのように成っているかについてである。これは表17に示す。
20．中性子の塊の層が1層の場合。中性子の塊の層が2層の場合。中性子の塊の層が3層の場合について。例えば、Auの場合について。
21．第1世代の恒星の中で、元素の中性子の塊の、K3´殻の中性子のラブの公転軌道＝K殻の電子のラブの軌道÷(1.8387×103)÷中性子の塊ができる場のA
第1世代の恒星の中で、元素の中性子の塊の、K3´殻の中性子のラブのエネルギー＝K殻の電子のラブのエネルギー×1.8387×103×中性子の塊ができる場のA
第1世代の恒星の中で、元素の中性子の塊の、L3´殻の中性子のラブの公転軌道＝L殻の電子のラブの軌道÷(1.8387×103)÷中性子の塊ができる場のA
第1世代の恒星の中で、元素の中性子の塊の、L3´殻の中性子のラブのエネルギー＝L殻の電子のラブのエネルギー×1.8387×103×中性子の塊ができる場のA
第1世代の恒星の中で、元素の中性子の塊の、M3´殻の中性子のラブの公転軌道＝M殻の電子のラブの軌道÷(1.8387×103)÷中性子の塊ができる場のA
第1世代の恒星の中で、元素の中性子の塊の、M3´殻の中性子のラブのエネルギー＝M殻の電子のラブのエネルギー×1.8387×103×中性子の塊ができる場のA
22．元素ができる前段階の、第1世代の恒星の中で、元素の中性子の塊の層はどのようであるか。
元素の中性子の塊の1層目の軌道はK3´殻の中性子のラブの公転軌道であり、そこには4個の中性子が公転する。
元素の中性子の塊の2層目の軌道はL3´殻の中性子のラブの公転軌道であり、そこには1段に8個×2列=16個、2段に8個×2列=16個の中性子が公転する。
元素の中性子の塊の3層目の軌道はM3´殻の中性子のラブの公転軌道であり、そこには1段に18個+1個+18個+10個=47個、2段に18個+18個+12個=48個の中性子が公転する。
23．元素の中の中性子の数は陽子や電子の数より多い。質量エネルギーの大きい元素程高エネルギーの場でできたので、陽子と電子に崩壊しなかった中性子の数は多い。
元素の存在度から考える。
【発明の効果】
【０００６】
1．K吸収端の波長とエネルギーの表を示す。
2．K吸収端は原子番号の大きい元素程小さい軌道に成ります。この事は原子番号の大きい元素の電子程公転軌道は小さく高エネルギーに成っていることを示唆する。
3．K吸収端から電子ラブの軌道と電子のラブのエネルギーを求める。
K吸収端の波長から計算した電子のラブの公転軌道と電子のラブのエネルギーを表に示す。
4．CのK殻の電子のラブの公転軌道を、K吸収端の波長の2.4185×10-2倍とした場合、元素のK殻の電子のラブの公転軌道とエネルギーを表に示す。  
5．K系の特性X線の波長とエネルギーを表に示す。
6．L系の特性X線の波長とエネルギーを表に示す。
7．M系の特性X線の波長とエネルギーを表に示す。
8．K系α1,2150個のエネルギーはL系α110個のエネルギーの何倍か。K系α1,2150個のエネルギーはL系α1100個のエネルギーの何倍か。K系α1,2150個のエネルギーはM系α1のエネルギーの何倍かを表に示す。
9．K殻の電子のラブの公転軌道＝2.4185×10-2× K吸収端の波長。
K殻の電子のエネルギー＝3.5828×10-22÷ K吸収端の波長。
L殻の電子のエネルギー＝K殻の電子のエネルギー×L系のX線のエネルギー÷K系のX線のエネルギー
M殻の電子のエネルギー＝L殻の電子のエネルギー×M系のX線のエネルギー÷L系のX線のエネルギー
これらを表に示す。
10．電子のラブの公転軌道は最も小さい特性X線の軌道より小さい。それで、電子のラブの公転軌道と最も小さい特性X線の軌道を比較する表を示す。
11．第1世代の恒星の中の中性子の塊のエネルギーの式と、中性子の塊がができた場のAの式を用いて、課題11と12を計算する。
12．電子のラブの公転軌道＝K吸収端の波長の2.4185×10-2
電子のラブのエネルギー＝3.5828×10-22÷K吸収端の波長、であるとすると、電子のラブのエネルギーと第1世代の恒星の中の中性子の塊のエネルギーと中性子の塊がができた場のAを表に示す。
13．電子のラブの軌道がK吸収端の軌道であるとすると、電子のラブのエネルギーと第1世代の恒星の中の中性子の塊のエネルギーと中性子の塊がができた場のAを表に示す。
14．図で説明する。
それで、K殻を回転する電子のラブの公転軌道の大きさをK吸収端の軌道と見做すことができる。
L殻を回転する電子のラブの公転軌道の大きさをL系γ1の軌道と見做すことができる。
M殻を回転する電子のラブの公転軌道の大きさをM系γの軌道と見做すことができる。
15．K殻を回転する電子のラブの公転軌道の大きさがK吸収端の軌道と同じ大きさであるとすると、電子のラブのエネルギーはいくらか。L殻を回転する電子のラブの公転軌道の大きさが、L系γ1の軌道と同じ大きさであるとすると、電子のラブのエネルギーはいくらか。M殻を回転する電子のラブの公転軌道の大きさが、M系γの軌道と同じ大きさであるとすると、電子のラブのエネルギーはいくらかを表に示す。
16．Sn(50)のK殻の電子のラブの公転軌道とエネルギーとL殻の電子のラブの公転軌道とエネルギーとM 殻の電子のラブの公転軌道とエネルギー
原子核の中のK´殻の陽子のラブの公転軌道とエネルギーとL´殻の陽子のラブの公転軌道とエネルギーとM´ 殻の陽子のラブの公転軌道とエネルギー
原子核の中のK2´殻の中性子のラブの公転軌道とエネルギーとL2´殻の中性子のラブの公転軌道とエネルギーとM2´ 殻の中性子のラブの公転軌道とエネルギー
について。表に示す。
17．原子核の中の軌道とエネルギーを表に示す。原子核の一般図を示す。
18．K殻の軌道とは電子のラブの公転軌道です。陽子のK´の殻の軌道は陽子のラブがK´の殻を公転する公転軌道です。中性子のK2´の殻の軌道は中性子のラブがK2´の殻を公転する公転軌道です。原子核の一般図を示す。
19．１つは、1つの中性子の塊が第1世代の恒星の中のどのエネルギーの軌道でできたかである。これは中性子の塊ができる場のAについてである。これは表10に示す。
１つは中性子の塊がどのように成っているかについてである。これは表17に示す。
20．Auの原子核の中のK2´殻の中性子のラブの公転軌道とエネルギーと、原子核の中のL2´殻の中性子のラブの公転軌道とエネルギーと、原子核の中のM2´殻の中性子のラブの公転軌道とエネルギー
第1世代の恒星の中で、Auの中性子の塊ができる場の、K3´殻の中性子のラブの公転軌道とエネルギーと、第1世代の恒星の中で、Auの中性子の塊ができる場の、L3´殻の中性子のラブの公転軌道とエネルギーと、第1世代の恒星の中で、Auの中性子の塊ができる場の、M3´殻の中性子のラブの公転軌道とエネルギー
を表に示す。図に示す。K3´殻は1層目の層です。L3´殻は2層目の層です。M3´殻は3層目の層です。
21．第1世代の恒星の中で、元素の中性子の塊の、K3´殻の中性子のラブの公転軌道とエネルギー
第1世代の恒星の中で、元素の中性子の塊の、L3´殻の中性子のラブの公転軌道とエネルギー
第1世代の恒星の中で、元素の中性子の塊の、M3´殻の中性子のラブの公転軌道とエネルギー
を表に示す。表がどのように中性子の塊に成り、１層目、2層目、3層目の球体の層に成っているかを図示する。
22．表がどのように中性子の塊に成り、１層目、2層目、3層目の球体の層に成っているかを図示する。
【図面の簡単な説明】
【０００７】
【図１】図１はK吸収端がK殻の電子のラブの公転軌道と見做される事の証明。電子のラブ(１)は自転しながら公転し電磁気(2)を作る。この電磁気が電子のラブの公転軌道(3)を出て、電子のラブの公転軌道の外側の軌道(4)を回転する。これがX線(5)です。K殻の電子のラブの公転軌道の最も近くの軌道を回転するX線がK吸収端の軌道です。それで、K吸収端の軌道(6)をK殻の電子のラブの公転軌道(7)と見做すことができる。同じように、L系のγ１の特性X線の軌道(8)をL殻の軌道を公転する電子のラブの公転軌道(9)と見做すことができる。M系のγの特性X線の軌道(10)をM殻の軌道を公転する電子のラブの公転軌道(11)と見做すことができる。AuのK殻の電子のラブの公転軌道は、K吸収端の波長÷2=0.0153×10-9m÷2＝1.53×10-11m÷2＝7.65×10-12m、です。AuのL殻の電子のラブの公転軌道は、L系のγ１の特性X線の波長÷2=0.0927×10-9m÷2＝9.27×10-11m÷2＝4.635×10-11m、です。AuのM殻の電子のラブの公転軌道は、M系のγの特性X線の波長÷2=0.5145×10-9m÷2＝5.145×10-10m÷2＝2.5725×10-10m、です。このように、同じ元素でも電子のラブの公転軌道とエネルギーが異なることは、陽子のラブの公転軌道とエネルギーも異なる。中性子の公転軌道とエネルギーも異なる。この原因は同じ元素でも元素ができる前段階に於いて、中性子の塊の中性子のエネルギーが異なっていた事を示唆する。元素ができる前段階である、第1世代の恒星の中で、陽子と電子に成る基の中性子のエネルギーが異なるためです。第1世代の恒星の中に、中性子の塊があり、その中性子が崩壊し、陽子のラブと電子のラブに成った。高エネルギーの中性子のラブから、高エネルギーの電子のラブと陽子のラブができた。
【図２】図２は原子核の中の一般図です。原子核の中(12)は表１３のようになる。その一般図を示す。原子核の外の軌道から、陽子のラブのM´殻の軌道＝陽子のラブの公転軌道(13)、中性子のラブのM2´の軌道＝中性子のラブの公転軌道(14)、陽子のラブのL´殻の軌道＝陽子のラブの公転軌道(15)、中性子のラブのL2´の軌道＝中性子のラブの公転軌道(16)、陽子のラブのK´殻の軌道＝陽子のラブの公転軌道(17)、中性子のラブのK2´の軌道＝中性子のラブの公転軌道(18)、の順に並んでいる。陽子のラブ(19)は陽子のラブの公転軌道を公転する。原子核の中性子のラブ(20)は中性子のラブの公転軌道を公転する。
【図３】図３はAuができる前段階の、第1代世代の恒星の中のAuの中性子の塊を図示する。約60億年前のAuの状態を図示する。第1世代の恒星の中で、Auの中性子の塊はどのようであるか。第1世代の恒星の中性子の塊の状態を考える。第1世代の恒星の中央部の軌道の中性子の塊について2つの場合について考えなければならない・１つは、中性子の塊が第1世代の恒星の中のどのエネルギーの軌道でできたかについてである。Auの中性子の塊は第1世代の恒星の中のA＝2.519×105の軌道でできた。・１つは中性子の塊がどのように成っているかについてである。1個の元素は1個の中性子の塊でできる。中性子の塊は球形に成っている。中性子の塊は層になっている。中性子の塊は層になり、球体に成っている。中性子の塊は球体の層に成っている。Auの中性子の塊(21)は4層になっている。Auの中性子の塊は4層になり、球体に成っている。中性子の塊は4層の球体に成っている。1層目の中性子(22)について。1層には4個の中性子が存在します。外側の列の軌道を、陽子のラブと電子のラブに崩壊する中性子2個が公転します。崩壊後、電子のラブはK殻を公転し、陽子のラブは原子核の中のK´殻を公転します。内側の列の軌道を中性子のままでいる中性子2個が公転します。崩壊後、中性子のラブは原子核の中のK2´殻を公転します。K殻の電子のラブの公転軌道＝K吸収端の軌道＝0.0153×10-9m÷2＝7.65×10-12mK殻の電子のラブのエネルギー＝8.665×10-24Jm÷(7.65×10-12m)＝1.133×10-12J原子核のK2´殻の中性子のラブのエネルギー＝K殻の電子のラブのエネルギー×1838.7＝1.133×10-12J×1838.7＝2.083×10-9J第1世代の恒星の中で、Auの中性子の塊の、K3´殻の中性子のラブのエネルギーは、2.083×10-9J×2.519×105＝5.247×10-4J、です。中性子のラブの公転軌道は、4.161×10-15m÷(2.519×105)＝1.652×10-20m、(23)です。それで、1.652×10-20mの外側の列の軌道を、陽子のラブと電子のラブに崩壊する中性子2個が公転します。(24)1.652×10-20mの内側の列の軌道を、崩壊後、原子核の中性子に成る中性子2個が公転します。(25)2層目の中性子(26)について。2層目の1段の列は、外側の列の軌道を、陽子のラブと電子のラブに崩壊する中性子8個が公転します。崩壊後、電子のラブはL殻を公転し、陽子のラブは原子核の中のL´殻を公転します。内側の列の軌道を中性子のままでいる中性子8個が公転します。崩壊後、中性子のラブは原子核の中のL2´殻を公転します。2層目の2段の列は、外側の列の軌道を、陽子のラブと電子のラブに崩壊する中性子8個が公転します。内側の列の軌道を中性子のままでいる中性子8個が公転します。L殻の電子のラブの公転軌道＝L系のγ１の特性X線の軌道÷2＝0.0927×10-9m÷2＝4.635×10-11mL殻の電子のラブのエネルギー＝8.665×10-24Jm÷(4.635×10-11m)＝1.869×10-13J原子核のL2´殻の中性子のラブのエネルギー＝L殻の電子のラブのエネルギー×1838.7＝1.869×10-13J×1838.7＝3.437×10-10J第1世代の恒星の中で、Auの中性子の塊の、L3´殻の中性子のラブのエネルギーは、3.437×10-10J×2.519×105＝8.658×10-5J、です。中性子のラブの公転軌道は、2.521×10-14m÷(2.519×105)＝1.001×10-20m、です。(27)それで、2層目の1段の列は、1.001×10-20mの外側の列の軌道を、陽子のラブと電子のラブに崩壊する中性子8個が公転します。(28)1.001×10-20mの内側の列の軌道を中性子のままでいる中性子8個が公転します。(29)2層目の2段の列は、1.001×10-20mより大きい外側の列の軌道を、陽子のラブと電子のラブに崩壊する中性子8個が公転します。(30)1.001×10-20mより大きい内側の列の軌道を中性子のままでいる中性子8個が公転します。(31)3層目の中性子(32)について。3層目の1段の列は、外側の列の軌道を、陽子のラブと電子のラブに崩壊する中性子18個が公転します。崩壊後、電子のラブはM殻を公転し、陽子のラブは原子核の中のM´殻を公転します。内側の列の軌道を中性子のままでいる中性子1+18+10個が公転します。崩壊後、中性子のラブは原子核の中のM2´殻を公転します。3層目の2段の列は、外側の列の軌道を、陽子のラブと電子のラブに崩壊する中性子18個が公転します。内側の列の軌道を中性子のままでいる中性子18+12個が公転します。M殻の電子のラブの公転軌道＝M系のγの特性X線の軌道＝0.5145×10-9m÷2＝2.573×10-10mM殻の電子のラブのエネルギー＝8.665×10-24Jm÷(2.573×10-10m)＝3.368×10-14J原子核のM2´殻の中性子のラブのエネルギー＝M殻の電子のラブのエネルギー×1838.7＝3.368×10-14J×1838.7＝6.193×10-11J第1世代の恒星の中で、Auの中性子の塊の、M3´殻の中性子のラブのエネルギーは、6.193×10-11J×2.519×105＝1.560×10-5J、です。中性子のラブの公転軌道は、1.399×10-13m÷(2.519×105)＝5554×10-19m、です。(33)それで、3層目の1段の列は、5554×10-19mの外側の列の軌道を、陽子のラブと電子のラブに崩壊する中性子18個が公転します。(34)5554×10-19mの内側の列の軌道を中性子のままでいる中性子1+18+10個が公転します。(35)3層目の2段の列は、5554×10-19mより大きい外側の列の軌道を、陽子のラブと電子のラブに崩壊する中性子18個が公転します。(36)5554×10-19mより大きい内側の列の軌道を中性子のままでいる中性子18+12個が公転します。(37)4層目の中性子(38)について。4層目の1段の列は、外側の列の軌道を、陽子のラブと電子のラブに崩壊する中性子25個が公転します。崩壊後、電子のラブはN殻を公転し、陽子のラブは原子核の中のN´殻を公転します。(39)内側の列の軌道を、原子核の中性子に崩壊する中性子41個が公転します。崩壊後、中性子のラブは原子核の中のN2´殻を公転します。(40)○電子のラブはK殻、L殻。M殻を公転する。それで、原子核の陽子のラブが公転する軌道を、K´殻、L´殻、M´殻と名付ける。原子核の中性子のラブが公転する軌道を、K2´殻、L2´殻、M2´殻と名付ける。第1世代の中の中性子の塊の中を公転する中性子のラブの軌道を、K3´殻、L3´殻、M3´殻と名付ける。
【図４】図４は元素ができる前段階の、第1世代の恒星の中で、元素の中性子の塊の層はどのようであるかを図示する。第1世代の恒星の中で、元素の中性子の塊の層はどのようであるか。元素の中性子の塊の1層目の軌道はK3´殻の中性子のラブの公転軌道であり、そこには4個の中性子のラブが公転する。(41)元素の中性子の塊の2層目の軌道はL3´殻の中性子のラブの公転軌道であり、そこには1段に8個+8個＝16個、2段に8個+8個＝16個の中性子のラブが公転する。(42)元素の中性子の塊の3層目の軌道はM3´殻の中性子のラブの公転軌道であり、そこには1段に18個+1個+18個+10個＝47個、2段に18個+18個+12個＝48個の中性子のラブが公転する。(43)4層のUuoの場合は、元素の中性子の塊の4層目の軌道はN3´殻の中性子のラブの公転軌道であり、そこには1段に32個+32個+27個=91個、2段に32個+32個+8個=72個の中性子のラブが公転する。(44)これは、表17に示した。元素の中性子の塊の1層目のK3´殻の中性子のラブの公転軌道、2層目のL3´殻の中性子のラブの公転軌道、3層目のM3´殻の中性子のラブの公転軌道が図のような球体の軌道の層に成っている事を示す。
【発明を実施するための形態】
【０００８】
１．    K吸収端のエネルギーはいくらか。
K吸収端のエネルギーは電磁気のエネルギーですから、電磁気の軌道エネルギーにより求める。
電磁気の軌道エネルギー=1.233×10-41Jm
K吸収端の軌道＝K吸収端の波長÷2
K吸収端のエネルギー＝1.233×10-41Jm÷軌道＝1.233×10-41Jm÷(K吸収端の波長÷2)
この式によりK吸収端のエネルギーを計算する。
K吸収端の波長とエネルギー
表１
2018038098.tif 000003
2018038098.tif 000004
2018038098.tif 000005
2018038098.tif 000006
2018038098.tif 000007
2018038098.tif 000008
２．    K吸収端は何を意味するか。  
電子のラブは自転し磁気の光子を作り公転し電気の光子を作っている。その電磁気が電子のラブの公転軌道の外側の軌道を束に成り回転している。
特性X線は電子のラブの周囲の軌道を、束に成り回転していた電磁気達で、電子のラブが高エネルギーの軌道に移動したとき、移動した高エネルギーの軌道には、電磁気達の軌道が無いので、飛び出した電磁気達です。
電磁気達が束に成り、回転するのは、電子のラブの公転軌道の外側の軌道です。
K吸収端は電子のラブの公転軌道の外側の最も近い軌道を回転する電磁気達の軌道です。
例えば、Cの電子のラブの公転軌道は1.058×10-10mです。その外側の4.3767×10-9m÷２＝2.18835×10-9mの軌道をK吸収端の光子は走っている。
K吸収端は原子番号の大きい元素程小さい軌道に成ります。この事は原子番号の大きい元素の電子のラブ程公転軌道は小さく高エネルギーに成っていることを示唆する。
原子番号の大きい元素の電子程公転軌道は小さく高エネルギーに成っている。それで、原子番号の大きい元素の電子の周囲を回転する特性X線は軌道が小さいく、波長が短い。
AuのK吸収端は、0.0153×10-9mであり、軌道は、0.0153×10-9m ÷2＝7.65×10-12mで、1.058×10-10mの、7.65×10-12m÷(1.058×10-10m)=7.65÷105.8=0.072倍です。エネルギーは  1÷0.072＝13.9倍です。
これは、Auは第1世代の恒星の中央の高エネルギーの場ででき、Auの電子のエネルギーは高エネルギーに成っているからです。
３．    K吸収端からK殻の電子のラブの公転軌道と電子のラブのエネルギーを求める。
Cの電子の質量エネルギーを、0.511MeV＝1.602×10-19J×106×0.511＝8.186×10-14Jとする。その公転軌道は8.665×10-24Jm÷(8.186×10-14J)＝1.0585×10-10mです。
Cの電子のラブの公転軌道は1.0585×10-10mです。CのK吸収端は4.3767×10-9mです。Cの電子のラブの公転軌道の外側の4.3767×10-9m÷2の軌道をK吸収端の光子は回転している。この光子が放出すると4.3767×10-9mの波長のK吸収端の光子に成る。
Cの電子の質量エネルギーを、0.511MeV＝1.602×10-19J×106×0.511＝8.186×10-14Jとする。その公転軌道は8.665×10-24Jm÷(8.186×10-14J)＝1.0585×10-10mです。
・Cの電子のラブの公転軌道は、K吸収端の波長の何倍か。
ｘ倍とする。
1.0585×10-10m＝4.3767×10-9m×ｘ
ｘ＝1.0585×10-10m÷(4.3767×10-9m)＝2.4185×10-2(倍)
Cの電子のラブの公転軌道は、K吸収端の波長の2.4185×10-2倍です。
○それで、電子のラブの公転軌道は、K吸収端の波長の2.4185×10-2倍とする。
電子のラブの公転軌道＝2.4185×10-2×K吸収端の波長
・電子のラブのエネルギーはどのようであるか。
電子のラブのエネルギー＝8.665×10-24Jm÷電子の公転軌道＝8.665×10-24Jm÷(2.4185×10-2×K吸収端の波長)＝3.5828×10-22÷K吸収端の波長
電子のラブのエネルギー＝3.5828×10-22÷K吸収端の波長
Cの場合、電子のエネルギー＝3.5828×10-22÷K吸収端の波長＝3.5828×10-22÷(4.3767×10-9m)＝8.186×10-14J、です。
この事から、K系吸収端の波長から電子のラブの公転軌道と電子のエネルギーを計算できる。
４．    K殻の電子のラブの公転軌道とエネルギーはいくらか。
K吸収端からK殻の電子ラブの軌道とエネルギーを求める。
Cの電子のラブの公転軌道は、K吸収端の波長の2.4185×10-2倍とする。
電子のラブの公転軌道＝K吸収端の波長×2.4185×10-2
電子のラブのエネルギー＝3.5828×10-22÷K吸収端の波長
K殻の電子のラブの公転軌道とエネルギー
表２
2018038098.tif 000009
2018038098.tif 000010
2018038098.tif 000011
2018038098.tif 000012
2018038098.tif 000013
2018038098.tif 000014
2018038098.tif 000015
2018038098.tif 000016
表により理解できる事
１．原子番号の大きい元素の電子程電子のエネルギーは大きい。
この事は原子番号の大きい元素程高エネルギーの場でできた事を示す。
例えば、Sn(50)の電子のエネルギーはC(12)の電子のエネルギーの1.030×102倍のエネルギーです。
この事は、Sn(50)の電子はC(12)の電子の1.030×102倍のエネルギーの場でできた。それで、1.030×102倍のエネルギーを持っている。
Sn(50)の陽子はC(12)の陽子の1.030×102倍のエネルギーの場でできた。それで、1.030×102倍のエネルギーを持っている。
Sn(50)の中性子はC(12)の中性子の1.030×102倍のエネルギーの場でできた。それで、1.030×102倍のエネルギーを持っている。
この事は、元素は第1世代の恒星の中でできた。高エネルギーの元素程高エネルギーの場でできた事を証明する。
2．第1世代の恒星の中で、元素は中性子の塊であった。中性子の数＝原子量。元素に成る中性子の数は原子量です。それで、第1世代の恒星の中で中性子の数が多い塊ほど高エネルギーの場に存在した。即ち、第1世代の恒星の中で、より中央部に存在した。
3．それでは、中性子の数と電子1個のエネルギーの間にはどのような関係が存在するのか。
例えば、Snの場合、中性子の数は118個で、Snの電子のエネルギーはCの電子のエネルギーの1.030×102倍です。1.030×102倍は中性子数の1.030×102÷118＝0.873倍です。
例えば、Nd(60)の場合、中性子の数は144で、Ndの電子のエネルギーはCの電子のエネルギーの、1.2571×10-11J ÷(8.1861×10-14J)＝1.536×102倍です。1.536×102倍は中性子数の1.536×102÷144＝1.067倍です。
例えば、Yb(70) の場合、中性子の数は173で、Ybの電子のエネルギーはCの電子のエネルギーの、1.7737×10-11J ÷(8.1861×10-14J)＝2.167×102倍です。2.167×102倍は中性子数の2.167×102÷173=1.253倍です。
例えば、Hg(80) の場合、中性子の数は200で、Hgの電子のエネルギーはCの電子のエネルギーの、2.4046×10-11J ÷(8.1861×10-14J)＝2.937×102倍です。2.937×102倍は中性子数の2.937×102÷200＝1.469倍です。
例えば、Th(90)の場合、 中性子の数は232で、Ybの電子のエネルギーはCの電子のエネルギーの、3.1706×10-11J÷(8.1861×10-14J)＝ 3.872×102倍です。3.872×102倍は中性子数の3.872×102÷232=1.669倍です。
電子1個のエネルギー÷Cの電子1個のエネルギー÷中性子の数＝中性子の数が多くなるほど大きい。
電子1個のエネルギーは中性子の数が多くなるほど大きい。
５．    K系の特性X線の波長とエネルギーはいくらか。
特性X線のエネルギー＝1.233×10-41Jm÷(波長÷2)＝2.466×10-41Jm÷波長、の式で計算した特性X線のエネルギー
波長の単位は×10−9m。
K系の特性X線の波長とエネルギー
表３
2018038098.tif 000017
2018038098.tif 000018
2018038098.tif 000019
2018038098.tif 000020
2018038098.tif 000021
2018038098.tif 000022
2018038098.tif 000023
2018038098.tif 000024
６．    L系の特性X線の波長とエネルギーはいくらか。
特性X線のエネルギー＝1.233×10-41Jm÷(波長÷2)＝2.466×10-41Jm÷波長、の式で計算した特性X線のエネルギー
波長の単位は×10−9m。
L系の特性X線の波長とエネルギー
表４
2018038098.tif 000025
2018038098.tif 000026
2018038098.tif 000027
2018038098.tif 000028
2018038098.tif 000029
2018038098.tif 000030
2018038098.tif 000031
2018038098.tif 000032
2018038098.tif 000033
2018038098.tif 000034
７．    M系の特性X線の波長とエネルギーはいくらか。
特性X線のエネルギー＝1.233×10-41Jm÷(波長÷2)＝2.466×10-41Jm÷波長、の式で計算した特性X線のエネルギー
波長の単位は×10−9m。
M系の特性X線の波長とエネルギー
表５
2018038098.tif 000035
2018038098.tif 000036
2018038098.tif 000037
2018038098.tif 000038
理解できる事。
1．M殻は中心の原子核から離れているので、M殻の軌道のエネルギーは小さい。それで、M殻の軌道を回転する電子のエネルギーも小さい。それで、その電子の周囲を回転する特性X線のエネルギーも小さい。
例えば、W７４の場合、M殻の軌道の特性X線α1のエネルギーは3.53143×10-32Jで、L殻の軌道の特性X線α1,2のエネルギーは1.671×10-31Jで、K殻の軌道の特性X線α1,2のエネルギーは1.169×10-30Jです。
2．殻の軌道を回転する電子のエネルギーが大きいとその電子の周囲を回転する特性X線のエネルギーも大きい。
3．特性X線のエネルギーが大きいと、特性 X線の数も多い。1束の特性 X線の数も多い。
例えば、M殻の軌道の特性X線α1のエネルギーは3.53143×10-32Jで、個数は1個。L殻の軌道の特性X線α1,2のエネルギーは1.671×10-31Jで110個。K殻の軌道の特性X線α1,2のエネルギーは1.169×10-30Jで150個です。
これは磁気の光子のエネルギーが大きいためです。磁気の光子により電気の光子は束ねられている。磁気の光子は引力です。
4．M殻では、特性X線のエネルギーが弱いので、束に成らない。  
８．    K系の軌道のエネルギーはいくらか。L 系の軌道のエネルギーはいくらか。K系α1,2150個のエネルギーはL系α110個のエネルギーの何倍か。
K系の特性X線α1,2の軌道のエネルギーは特性X線α1,2のエネルギー×特性X線α1,2の強度、です。強度を特性X線の個数と見做す。
例えば、W７４の場合、
K系の特性X線α1,2の軌道のエネルギー＝K系特性X線α1,2のエネルギー×K系特性X線α1,2の強度＝1.169×10-30J×150＝1.754×10-28J
L系の特性X線α1,2の軌道のエネルギー＝L系特性X線α1,2のエネルギー×L系特性X線α1,2の強度＝1.671×10-31J×110＝1.838×10-29J
・K殻の特性X線α1,2の軌道のエネルギーはL殻の特性X線α1,2の軌道のエネルギーの何倍か。
K殻の特性X線α1,2の軌道のエネルギー÷L殻の特性X線α1,2の軌道のエネルギー＝1.754×10-28J÷(1.838×10-29J)＝9.543倍
K殻の特性X線α1,2の軌道のエネルギーはL殻の特性X線α1,2の軌道のエネルギーの9.543倍です。
・L殻の特性X線α1,2の軌道のエネルギーはM殻の特性X線α11個のエネルギーの何倍か。
L殻の特性X線α1,2の軌道のエネルギー÷M殻の特性X線α11個のエネルギー＝1.838×10-29J÷(3.53143×10-32J)＝5.205×102倍
L殻の特性X線α1,2の軌道のエネルギーはM殻の特性X線α11個のエネルギーの5.205×102倍です。
K系α1,2150個のエネルギーはL系α110個のエネルギーの何倍か。K系α1,2150個のエネルギーはL系α1100個のエネルギーの何倍か。K系α1,2150個のエネルギーはM系α1のエネルギーの何倍か。
表６
2018038098.tif 000039
2018038098.tif 000040
2018038098.tif 000041
2018038098.tif 000042
2018038098.tif 000043
2018038098.tif 000044
2018038098.tif 000045
2018038098.tif 000046
2018038098.tif 000047
2018038098.tif 000048
2018038098.tif 000049
2018038098.tif 000050
2018038098.tif 000051
９．    K吸収端の波長からK殻の電子のラブの公転軌道とK殻の電子のラブのエネルギーが求められた。L殻の電子のラブの公転軌道と電子のラブのエネルギーはいくらか。M殻の電子のラブの公転軌道と電子のラブのエネルギーはいくらか。
K殻の電子のラブの公転軌道＝2.4185×10-2× K吸収端の波長。K殻の電子のエネルギー＝3.5828×10-22÷ K吸収端の波長。
特性X線のエネルギーは電子のラブの公転によってできる。
特性X線のエネルギーの大きい場では、電子のエネルギーは大きい。特性X線のエネルギーの小さい場では、電子のエネルギーは小さい。
それで、L殻の電子のエネルギー＝K殻の電子のエネルギー×L系のX線のエネルギー÷K系のX線のエネルギー
Cの場合、K殻の電子のエネルギーは8.1861×10-14Jです。K系α1,2150個のエネルギーは8.408×10-31Jです。
でも、L系α1,2150個のエネルギーは解りませんから、L殻の電子のエネルギーは計算できません。
Caの場合、K系の電子のエネルギーは1.1670×10-12Jです。K系α1,2150個のエネルギーは1.101×10-29Jです。L系α110個のエネルギーは7.455×10-31Jです。
それで、L殻の電子のエネルギー＝K殻の電子のエネルギー×L系のX線のエネルギー÷K系のX線のエネルギー＝1.1670×10-12J×7.455×10-31J÷(1.101×10-29J)＝7.902×10−14J、です。
M系のα1の波長とエネルギーのデータ−はありませんから、M殻の電子のエネルギーは計算できません。
Ybの場合、K殻の電子のエネルギーは1.7737×10-11Jです。K系α1,2150個のエネルギーは1.554×10-28Jです。L系α1110個のエネルギーは1.475×10-29Jです。
それで、L殻の電子のエネルギー＝K殻の電子のエネルギー×L系のX線のエネルギー÷K系のX線のエネルギー＝1.7737×10-11J×1.475×10-29J÷(1.554×10-28J)＝1.684×10−12J、です。
M系α1の波長とエネルギーは3.0299×10-32Jです。
M殻の電子のエネルギー＝L殻の電子のエネルギー×M系のX線のエネルギー÷L系のX線のエネルギー＝1.684×10−12J×3.0299×10-32J÷(1.475×10-29J)＝3.459×10−15J、です。
K殻の電子のラブの公転軌道＝2.4185×10-2× K吸収端の波長。
K殻の電子のエネルギー＝3.5828×10-22÷ K吸収端の波長。
L殻の電子のエネルギー＝K殻の電子のエネルギー×L系のX線のエネルギー÷K系のX線のエネルギー
M殻の電子のエネルギー＝L殻の電子のエネルギー×M系のX線のエネルギー÷L系のX線のエネルギー
表７
2018038098.tif 000052
2018038098.tif 000053
2018038098.tif 000054
2018038098.tif 000055
2018038098.tif 000056
2018038098.tif 000057
2018038098.tif 000058
2018038098.tif 000059
2018038098.tif 000060
2018038098.tif 000061
2018038098.tif 000062
2018038098.tif 000063
2018038098.tif 000064
2018038098.tif 000065
１０．    特性X線から求めた各々の元素の電子のラブの公転軌道はいくらか。電子のラブの公転軌道と最も小さい特性X線の軌道を比較する。
電子のラブの公転軌道は最も小さい特性X線の軌道より小さい。それで、電子のラブの公転軌道と最も小さい特性X線の軌道を比較する。
電子のラブの公転軌道＝8.665×10-24Jm÷電子のラブのエネルギー。この式から各々の元素の電子のラブの公転軌道を求める。
電子のラブの公転軌道は最も小さい特性X線の軌道より小さい。それで、殻における最も小さい特性X線の軌道と電子のラブの公転軌道を比較する。
表８
2018038098.tif 000066
2018038098.tif 000067
2018038098.tif 000068
2018038098.tif 000069
2018038098.tif 000070
2018038098.tif 000071
2018038098.tif 000072
2018038098.tif 000073
2018038098.tif 000074
2018038098.tif 000075
2018038098.tif 000076
2018038098.tif 000077
2018038098.tif 000078
2018038098.tif 000079
2018038098.tif 000080
2018038098.tif 000081
この表により理解できる事
1．特性X線は電子のラブが公転して作るものであり、電子のラブの公転軌道より大きい。
2．K系の電子のラブの公転軌道はK系の最も小さい軌道であるK吸収端の軌道より小さいので、この値に近い。
3．L系の電子のラブの公転軌道はL系の最も小さい軌道であるL系γ1の軌道より小さいので、この値に近い。
4．M系の電子のラブの公転軌道はM系のγの軌道より大きいので、誤りです。
5．よって、次の式により求めた値は間違いです。
K殻の電子のラブの公転軌道＝2.4185×10-2× K吸収端の波長。
K殻の電子のエネルギー＝3.5828×10-22÷ K吸収端の波長。
L殻の電子のエネルギー＝K殻の電子のエネルギー×L系のX線のエネルギー÷K系のX線のエネルギー
M殻の電子のエネルギー＝L殻の電子のエネルギー×M系のX線のエネルギー÷L系のX線のエネルギー
１１．    第1世代の恒星の中の中性子の塊のエネルギーの式と、中性子の塊がができた場のAの式はどのようであるか。
中性子のエネルギー÷電子のエネルギー＝939.565MeV÷0.511MeV＝1838.679
第1世代の恒星の中の中性子の塊のエネルギー＝K殻の電子のエネルギー×1838.679 ×(第1世代の恒星の1個の塊の中の中性子の数÷2)1/2
よって、中性子の塊がができた場のA＝第1世代の恒星の中の中性子の塊のエネルギー÷地表の電子のエネルギー＝第1世代の恒星の中の中性子の塊のエネルギー÷(8.187×10-14J)
１２．    第1世代の恒星の中の元素に成る中性子の塊がができた場のAはいくらか。  (Cの電子のラブの公転軌道は、K吸収端の波長の2.4185×10-2倍とする場合)
K吸収端からK殻の電子ラブの軌道とエネルギーを求める。
Cの電子のラブの公転軌道は、K吸収端の波長の2.4185×10-2倍とする。
電子のラブの公転軌道＝K吸収端の波長の2.4185×10-2
電子のラブのエネルギー＝3.5828×10-22÷K吸収端の波長
中性子のエネルギー÷電子のエネルギー＝939.565MeV÷0.511MeV＝1838.679
第1世代の恒星の中の中性子の塊のエネルギー＝K殻の電子のエネルギー×1838.679 ×(第1世代の恒星の1個の塊の中の中性子の数÷2)1/2
よって、中性子の塊がができた場のA＝第1世代の恒星の中の中性子の塊のエネルギー÷地表の電子のエネルギー＝第1世代の恒星の中の中性子の塊のエネルギー÷(8.187×10-14J)
電子のラブの公転軌道＝K吸収端の波長の2.4185×10-2
電子のラブのエネルギー＝3.5828×10-22÷K吸収端の波長
とする場合、
第1世代の恒星の中の中性子の塊のエネルギー＝K殻の電子のラブのエネルギー×(第1世代の恒星の1個の塊の中の中性子の数÷2)1/2×1838.679 
中性子の塊がができた場のA＝第1世代の恒星の中の中性子の塊のエネルギー÷(8.187×10-14J)
表９
2018038098.tif 000082
2018038098.tif 000083
2018038098.tif 000084
2018038098.tif 000085
2018038098.tif 000086
2018038098.tif 000087
2018038098.tif 000088
2018038098.tif 000089
2018038098.tif 000090
2018038098.tif 000091
2018038098.tif 000092
2018038098.tif 000093
2018038098.tif 000094
2018038098.tif 000095
2018038098.tif 000096
2018038098.tif 000097
この表により理解できる事。
1．第１世代の恒星の中で、Zr(40)の中性子の塊ができた場のAは7.834×105です。
ブラックホールのA=7.387×105です。よって、Zr(40)より原子番号の大きい元素の中性子の塊は、ブラックホールのA以上のエネルギーの場の中でできたことになる。
2．ブラックホールの中には中性子や陽子や電子は存在しない。
3．よって、電子のラブの公転軌道＝K吸収端の波長の2.4185×10-2と、電子のラブのエネルギー＝3.5828×10-22÷K吸収端の波長の式で求めた、各々の元素の電子のラブの公転軌道とエネルギーは誤りです。
１３．      電子のラブの軌道がK吸収端の軌道であるとすると、電子のラブのエネルギーと第1世代の恒星の中の中性子の塊のエネルギーと中性子の塊がができた場のAはいくらか。
K殻を回転する電子のラブの公転軌道＝K吸収端の軌道
第1世代の恒星の中の中性子の塊のエネルギー＝K殻の電子のエネルギー×1838.679×(第1世代の恒星の1個の塊の中の中性子の数÷2)1/2
中性子の塊がができた場のA＝第1世代の恒星の中の中性子の塊のエネルギー÷地表の電子のエネルギー＝第1世代の恒星の中の中性子の塊のエネルギー÷(8.187×10-14J)
電子のラブの軌道がK吸収端の軌道であるとすると、電子のラブのエネルギーと第1世代の恒星の中の中性子の塊のエネルギーと中性子の塊がができた場のA
表１０
2018038098.tif 000098
2018038098.tif 000099
2018038098.tif 000100
2018038098.tif 000101
2018038098.tif 000102
2018038098.tif 000103
2018038098.tif 000104
2018038098.tif 000105
2018038098.tif 000106
2018038098.tif 000107
2018038098.tif 000108
2018038098.tif 000109
2018038098.tif 000110
2018038098.tif 000111
この事により理解できた事
1．第1世代の恒星の中心は中性子星のAです。中性子星のA=2.028×105
2．太陽は中性子星からできた。
3．Liができた軌道のAは1.715× 10ではない。Liの電子のエネルギーは7.636×10-16Jで、公転軌道は11.348×10-9mです。このエネルギーは電子のエネルギー8.187×10-14Jで、公転軌道が1.058×10-10mより低エネルギーです。
4．電子のエネルギー8.187×10-14Jで、公転軌道が1.058×10-10mの場合、Aはいくらか。
第1世代の恒星の中の中性子の塊のエネルギー＝K殻の電子のエネルギー×(第1世代の恒星の1個の塊の中の中性子の数÷2)1/2×1838.679＝8.187×10-14J×１×1838.679＝1.505×10-11J
中性子の塊がができた場のA＝第1世代の恒星の中の中性子の塊のエネルギー÷(8.187×10-14J)＝1.505×10-11J÷(8.187×10-14J)＝1.838×102
5．太陽の中心は15×106℃であり、その場で核融合反応がおき、Heができるとすると、Heができた場のAは(15×106℃)1/2=3.873×103、です。
6．表では、Cr(24)の公転軌道は1.035×10-10mで、エネルギーは8.372×10-14Jですから、電子の公転軌道とエネルギーに最も近い。この第1世代の恒星の中の中性子の塊のエネルギーは、8.372×10-14J×5.099×1.8387×103＝7.697×10-10Jで、中性子の塊がができた場のAは、7.697×10-10J÷(8.187×10-14J) ＝9.401×103、です。
それで、この表のようであると理解します。
7．このデータ-と2014年4月1日に提出した、特願2014-075852「星の中央の中性子の塊と引力と宇宙の初期の中性子の塊と引力でできる元素」の「請求項3」「請求項4」「請求項5」「請求項6」「請求項7」「請求項8」で得た表４とやや等しいので正しい。
8．第1世代の恒星の中で、元素に成る中性子の塊は、この表のように並んでいる。第1世代の恒星の中央に成るに従って、Aの値は大きく成り、原子番号の大きい元素に成る中性子の塊が存在する。
１４．    K吸収端の軌道はK殻を公転する電子のラブの公転軌道の大きさに近い。L系γ1の軌道はL殻を回転する電子のラブの公転軌道の大きさに近い。M系γの軌道はM殻を回転する電子のラブの公転軌道の大きさに近い。その事の証明。
電子のラブは自転し磁気の光子を作り、公転し電気の光子を作る。自転しながら公転し電磁気を作る。この電磁気は電子のラブの公転軌道を出る。これがX線です。特性X線は電子のラブが作った電磁気で、電子のラブの公転軌道の周囲の軌道を回転している。最も電子のラブの公転軌道に近い特性X線は最も軌道の小さい特性X線です。
K殻を回転する電子のラブの公転軌道の大きさに近い特性X線は最も軌道の小さい特性X線でK吸収端です。
L殻を回転する電子のラブの公転軌道の大きさに近い特性X線は最も軌道の小さい特性X線でL系γ1です。
M殻を回転する電子のラブの公転軌道の大きさに近い特性X線は最も軌道の小さい特性X線でM系γです。
それで、K殻を回転する電子のラブの公転軌道の大きさをK吸収端の軌道と見做すことができる。
L殻を回転する電子のラブの公転軌道の大きさをL系γ1の軌道と見做すことができる。
M殻を回転する電子のラブの公転軌道の大きさをM系γの軌道と見做すことができる。
K吸収端がK殻の電子のラブの公転軌道と見做される原理。
電子のラブは自転しながら公転し電磁気を作る。この電磁気が電子のラブの公転軌道を出て、電子のラブの公転軌道の外側の軌道を回転する。これがX線です。K殻の電子のラブの公転軌道の最も近くの軌道を回転するX線がK吸収端です。それで、K吸収端の軌道をK殻の電子のラブの公転軌道と見做すことができる。同じように、L殻の軌道を公転する電子のラブの公転軌道は、L系のγ１の特性X線の軌道と見做すことができる。M殻の軌道を公転する電子のラブの公転軌道は、M系のγの特性X線の軌道と見做すことができる。
AuのK殻の電子のラブの公転軌道は、K吸収端の波長÷2=0.0153×10-9m÷2＝1.53×10-11m÷2＝7.65×10-12m、です。
AuのL殻の電子のラブの公転軌道は、L系のγ１の特性X線の波長÷2=0.0927×10-9m÷2＝9.27×10-11m÷2＝4.635×10-11m、です。
AuのM殻の電子のラブの公転軌道は、M系のγの特性X線の波長÷2=0.5145×10-9m÷2＝5.145×10-10m÷2＝2.5725×10-10m、です。
このように、同じ元素でも電子のラブの公転軌道とエネルギーが異なることは、陽子のラブの公転軌道とエネルギーも異なる。中性子の公転軌道とエネルギーも異なる。
この原因は同じ元素でも元素ができる前段階に於いて、中性子の塊の中性子のエネルギーが異なっていた事を示唆する。
元素ができる前段階、第1世代の恒星の中で陽子と電子に成る基の中性子の塊の状態に起因する。
１５．    K殻を回転する電子のラブの公転軌道の大きさがK吸収端の軌道と同じ大きさであるとすると、電子のラブのエネルギーはいくらか。L殻を回転する電子のラブの公転軌道の大きさが、L系γ1の軌道と同じ大きさであるとすると、電子のラブのエネルギーはいくらか。M殻を回転する電子のラブの公転軌道の大きさが、M系γの軌道と同じ大きさであるとすると、電子のラブのエネルギーはいくらか。
K吸収端の軌道＝K吸収端の波長÷2。K殻を回転する電子のラブの公転軌道の大きさがK吸収端の軌道と同じ大きさであるとすると、電子のラブのエネルギー＝8.665×10-24Jm÷K吸収端の軌道。
L系γ1の軌道＝L系γ1の波長÷2。L殻を回転する電子のラブの公転軌道の大きさが、L系γ1の軌道と同じ大きさであるとすると、電子のラブのエネルギー＝8.665×10-24Jm÷L系γ1の軌道。
M系γ1の軌道＝M系γ1の波長÷2。M殻を回転する電子のラブの公転軌道の大きさが、M系γの軌道と同じ大きさであるとすると、電子のラブのエネルギー＝8.665×10-24Jm÷M系γの軌道。
K殻を回転する電子のラブの公転軌道＝K吸収端の軌道、L殻を回転する電子のラブの公転軌道＝L系γ1の軌道、M殻を回転する電子のラブの公転軌道＝M系γの軌道、とする場合の電子のラブのエネルギー＝8.665×10-24Jm÷電子のラブの公転軌道。
表１１
2018038098.tif 000112
2018038098.tif 000113
2018038098.tif 000114
2018038098.tif 000115
2018038098.tif 000116
2018038098.tif 000117
2018038098.tif 000118
2018038098.tif 000119
2018038098.tif 000120
2018038098.tif 000121
2018038098.tif 000122
2018038098.tif 000123
2018038098.tif 000124
2018038098.tif 000125
この表より理解できる事
1．K殻の電子のラブは高エネルギーなので、１束にたくさんの電磁気を引き付ける事ができる。K系α１α2は１５０．
2．L殻の電子のラブはK殻の電子のラブよりエネルギーが小さいので、 K殻の電子のラブより1束に引き付ける電磁気の量は少ない。K系α１α2は110．
3．M殻の電子のラブは低エネルギーなので、電磁気の束はできない。
4．K殻、L殻、M殻の電子のラブの公転軌道をK系、L系、M系の特性X線の最も小さい軌道と見做すことにより、おおよそのK殻、L殻、M殻の電子のラブのエネルギーが理解できる。
5．各々の元素の電子のラブの公転軌道とエネルギーは回転する殻によって異なる。
例えば、Su(50)の場合、K殻の軌道を回転する電子のラブの公転軌道は2.125×10-11mで、エネルギーは4.078×10-13Jです。
L殻の軌道を回転する電子のラブの公転軌道は1.501×10-10mで、エネルギーは5.772×10-14Jです。
M殻の軌道を回転する電子のラブの公転軌道は8.910×10-10mで、エネルギーは9.725×10-15Jです。
この事によって、原子核のSuの陽子のラブは同じ公転軌道ではなく、同じエネルギーではない事が推測できる。
6．例えば、W(74)の場合、K殻の軌道を回転する電子のラブの公転軌道は8.900×10-12mで、エネルギーは9.736.×10-13Jです。
L殻の軌道を回転する電子のラブの公転軌道は5.490×10-11mで、エネルギーは1.578×10-13Jです。
M殻の軌道を回転する電子のラブの公転軌道は3.044×10-10m で、エネルギーは2.847×10-14Jです。
このように、K殻の軌道を回転する電子のラブの公転軌道とエネルギー、L殻の軌道を回転する電子のラブの公転軌道とエネルギー、M殻の軌道を回転する電子のラブの公転軌道とエネルギーは異なります。
この事によって、第1世代の恒星の中で、中性子の塊がどのような状態になっていたかが理解できる。
○電子のラブはK殻、L殻。M殻を公転する。
それで、原子核の陽子のラブが公転する軌道を、K´殻、L´殻、M´殻と名付ける。
原子核の中性子が公転する軌道を、K2´殻、L2´殻、M2´殻と名付ける。
第1世代の中の中性子の塊の中を公転する中性子のラブの軌道を、K3´殻、L3´殻、M3´殻と名付ける。
１６．    原子核はどのようにでき、原子核の中はどのようであるか。
1つの中性子から電子のラブと陽子のラブができる。
高エネルギーの中性子から高エネルギーの電子のラブと高エネルギーの陽子のラブができる。
・中性子の塊の層が3層の場合。(RbからXeの場合)
3層目には18個×4列＝72個の中性子が存在します。
3層目は2段に成っています。
1段は2列になっていていて、それぞれ内側の軌道の中性子と外側の軌道の中性子です。
外側の列の軌道の中性子は18個です。この中性子は崩壊し電子のラブと陽子のラブに成ります。電子のラブはM殻の軌道を公転します。陽子のラブは原子核のM´の軌道を公転します。
内側の列の軌道の中性子は18個です。この中性子は原子核のM2´の軌道を公転します。中性子の数が多くなることがある。
これが2段存在します。
この2列の軌道の中性子が1段になり、合計2段に成っていて、2列の軌道×2段＝4列の軌道になっていて、中性子の数は18個×2列×2段＝72個になっています。
この72個の中性子は、中性子の塊の最も外側の軌道を回転する最も低エネルギーの中性子です。
2層目には8個×2列×2段＝32個の中性子が存在します。
2層目は2段に成っています。
1段は2列になっていていて、それぞれ内側の軌道の中性子と外側の軌道の中性子です。
外側の列の軌道の中性子は8個です。この中性子は崩壊し電子のラブと陽子のラブに成ります。電子のラブはL殻の軌道を公転します。陽子のラブは原子核のL´の軌道を公転します。
内側の列の軌道の中性子は8個です。この中性子は原子核のL2´の軌道を公転します。
この2列の軌道の中性子が1段になり、合計2段に成っています。2列の軌道×2段＝4列の軌道になっていて、中性子の数は8個×2列×2段＝32個になっています。
この32個の中性子は、中性子の塊の2番目に小さい軌道を回転する2番目に大きいエネルギーの中性子です。
1層目には2×2=4個の中性子が存在します。
外側の列の軌道の中性子は2個です。この中性子は崩壊し電子のラブと陽子のラブに成ります。電子のラブはK殻の軌道を公転します。陽子のラブは原子核のK´の軌道を公転します。
内側の列の軌道の中性子は2個です。この中性子は原子核のK2´の軌道を公転します。
この4個の中性子は、中性子の塊の最も小さい軌道を回転する最も高エネルギーの中性子です。
陽子のラブは電子のラブの公転軌道の1836分の1の大きさの軌道を公転します。
電子のラブと陽子のラブに崩壊しなかった中性子は、崩壊するエネルギーを消耗しない分だけ、陽子のラブより高エネルギーです。
それで、陽子のラブの1番小さい軌道であるK´の軌道より更に小さい軌道を公転する。陽子のラブの回転方向の逆方向に公転する。中性子の軌道をM2´殻、L2´殻、K2´殻と名付ける。
例えば、Sn(50)の場合、中性子の塊の層は3層です。中性子の数は118個です。
3層目の1段には
外側の列の軌道に18個の中性子が存在し、崩壊し、電子のラブと陽子のラブに成ります。電子のラブはM殻の軌道を公転します。陽子のラブはM´殻の軌道を公転します。
内側の列の軌道に18個の中性子が存在し、崩壊し、原子核の中性子のラブに成ります。原子核の中性子のラブはM2´殻の軌道を公転します。
3層目の2段には
外側の列の軌道に14個の中性子が存在し、崩壊し、電子のラブと陽子のラブに成ります。電子のラブはM殻の軌道を公転します。陽子のラブはM´殻の軌道を公転します。
内側の列の軌道に14個+18個=32個の中性子が存在し、崩壊し、原子核の中性子のラブに成ります。原子核の中性子のラブはM2´殻の軌道を公転します。
＊M殻の軌道は、M系のγ特性X線の軌道であり、1.794×10-9m÷2＝8.910×10-10mです。電子のラブの公転軌道は8.910×10-10mで、電子のラブのエネルギーは8.665×10-24Jm÷(8.910×10-10m)＝9.725×10-15J、です。
陽子のラブの公転軌道はこの軌道の1836分の1ですから、8.910×10-10m÷1836＝4.853×10-13m、です。陽子のラブのエネルギーは、8.665×10-24Jm÷(4.853×10-13m)＝1.785×10-11J、です。
原子核の中のM´の軌道は4.853×10-13mで、陽子のラブはこの軌道を公転します。
原子核の中性子のラブの公転軌道は、電子のラブの公転軌道の1838.7分の1ですから、8.910×10-10m÷1838.7=4.846×10-13m、です。中性子のラブのエネルギーは、8.665×10-24Jm÷(4.846×10-13m)＝1.788×10-11J、です。
原子核のM2´の軌道は4.846×10-13mで中性子のラブはこの軌道を公転します。
・2層目の1段には
外側の列の軌道に8個の中性子が存在し、崩壊し、電子のラブと陽子のラブに成ります。電子のラブはL殻の軌道を公転します。陽子のラブはL´殻の軌道を公転します。
内側の列の軌道に8個の中性子が存在し、崩壊し、原子核の中性子のラブに成ります。原子核の中性子のラブはL2´殻の軌道を公転します。
2層目の2段には
外側の列の軌道に8個の中性子が存在し、崩壊し、電子のラブと陽子のラブに成ります。電子のラブはL殻の軌道を公転します。陽子のラブはL´殻の軌道を公転します。
内側の列の軌道に8個の中性子が存在し、崩壊し、原子核の中性子のラブに成ります。原子核の中性子のラブはL2´殻の軌道を公転します。
＊L殻の軌道は、L系のγ1特性X線の軌道であり、3.001×10-10m÷2＝1.501×10-10m です。電子のラブの公転軌道は1.501×10-10mで、電子のラブのエネルギーは8.665×10-24Jm÷(1.501×10-10m)＝5.773×10-14J、です。
陽子のラブの公転軌道はこの軌道の1836分の1ですから、1.501×10-10m÷1836＝8.175×10-14m、です。陽子のラブのエネルギーは、8.665×10-24Jm÷(8.175×10-14m)＝1.060×10-10J、です。
原子核の中のL´の軌道は8.175×10-14mで、陽子のラブはこの軌道を公転します。
原子核の中性子のラブの公転軌道は、電子のラブの公転軌道の1838.7分の1ですから、1.501×10-10m÷1838.7=8.163×10-14m、です。中性子のラブのエネルギーは、8.665×10-24Jm÷(8.163×10-14m)＝1.061×10-10J、です。
原子核のL2´の軌道は、8.163×10-14mで中性子のラブはこの軌道を公転します。
・１層目には4個の中性子が存在します。
2個の中性子は2個の電子のラブと2個の陽子のラブに崩壊します。
2個の中性子は2個の原子核の中性子に成ります。
＊K殻の軌道は、K吸収端の軌道であり、0.0425×10-9m÷2＝2.125×10-11mです。電子のラブの公転軌道は2.125×10-11mで、電子のラブのエネルギーは8.665×10-24Jm÷(2.125×10-11m)＝4.078×10-13Jです。
陽子のラブの公転軌道は電子のラブの公転軌道の1836分の1ですから、2.125×10-11m÷1836=1.157×10-14m、です。陽子のラブのエネルギーは、8.665×10-24Jm÷(1.157×10-14m)＝7.489×10-10J、です。
原子核の中のK´の軌道は1.157×10-14mで、陽子のラブはこの軌道を公転します。
原子核の中性子のラブの公転軌道は、電子のラブの公転軌道の1838.7分の1ですから、2.125×10-11m÷1838.7=1.156×10-14m、です。中性子のラブのエネルギーは、8.665×10-24Jm÷(1.156×10-14m)＝7.496×10-10J、です。
原子核のK2´の軌道は、1.156×10-14mで中性子のラブはこの軌道を公転します。
Sn(50)のK殻の電子のラブの公転軌道とエネルギーとL殻の電子のラブの公転軌道とエネルギーとM 殻の電子のラブの公転軌道とエネルギー
原子核の中のK´殻の陽子のラブの公転軌道とエネルギーとL´殻の陽子のラブの公転軌道とエネルギーとM´ 殻の陽子のラブの公転軌道とエネルギー
原子核の中のK2´殻の中性子のラブの公転軌道とエネルギーとL2´殻の中性子のラブの公転軌道とエネルギーとM2´ 殻の中性子のラブの公転軌道とエネルギー
表１２
2018038098.tif 000126
１７．    原子核の中の軌道とエネルギー
原子核の中のK´殻を回転する陽子のラブの公転軌道＝K殻を回転する電子のラブの公転軌道÷1836．
原子核の中のK´殻を回転する陽子のラブのエネルギー＝K殻を回転する電子のラブのエネルギー×1836．
原子核の中のL´殻を回転する陽子のラブの公転軌道＝L殻を回転する電子のラブの公転軌道÷1836．
原子核の中のL´殻を回転する陽子のラブのエネルギー＝K殻を回転する電子のラブのエネルギー×1836．
原子核の中のM´殻を回転する陽子のラブの公転軌道＝M殻を回転する電子のラブの公転軌道÷1836．
原子核の中のM´殻を回転する陽子のラブのエネルギー＝M殻を回転する電子のラブのエネルギー×1836．
原子核の中のK2´殻を回転する中性子のラブの公転軌道＝K殻を回転する電子のラブの公転軌道÷(1.8387×103)．
原子核の中のK2´殻を回転する中性子のラブのエネルギー＝K殻を回転する電子のラブのエネルギー×1.8387×103．
原子核の中のL2´殻を回転する中性子のラブの公転軌道＝L殻を回転する電子のラブの公転軌道÷(1.8387×103)．
原子核の中のL2´殻を回転する中性子のラブのエネルギー＝L殻を回転する電子のラブのエネルギー×1.8387×103．
原子核の中のM2´殻を回転する中性子のラブの公転軌道＝M殻を回転する電子のラブの公転軌道÷(1.8387×103)．
原子核の中のM2´殻を回転する中性子のラブのエネルギー＝M殻を回転する電子のラブのエネルギー×1.8387×103．
原子核の中の軌道とエネルギー
表１３
2018038098.tif 000127
2018038098.tif 000128
2018038098.tif 000129
2018038098.tif 000130
2018038098.tif 000131
2018038098.tif 000132
2018038098.tif 000133
2018038098.tif 000134
2018038098.tif 000135
この事を図に示す
原子核の中は表１３のようになる。
その一般図を示す。
原子核の外の軌道から、陽子のラブのM´殻の軌道=陽子のラブの公転軌道、中性子のラブのM2´の軌道＝中性子のラブの公転軌道、陽子のラブのL´殻の軌道＝陽子のラブの公転軌道、中性子のラブのL2´の軌道＝中性子のラブの公転軌道、陽子のラブのK´殻の軌道＝陽子のラブの公転軌道、中性子のラブのK2´の軌道＝中性子のラブの公転軌道、の順に並んでいる。
陽子のラブは陽子のラブの公転軌道を公転する。中性子のラブは中性子のラブの公転軌道を公転する。
１８．    K殻の軌道とK殻を公転する電子のラブの公転軌道は同じ大きさです。L殻の軌道とL殻を公転する電子のラブの公転軌道は同じ大きさです。M殻の軌道とM殻を公転する電子のラブの公転軌道は同じ大きさです。原子核のK´殻を回転する陽子のラブの公転軌道と原子核のK´殻の大きさは同じ大きさです。原子核のL´殻を回転する陽子のラブの公転軌道と原子核のL´殻の大きさは同じ大きさです。原子核のM´殻を回転する陽子のラブの公転軌道と原子核のM´殻の大きさは同じ大きさです。原子核のK2´殻の軌道と原子核のK2´殻の軌道を公転する中性子のラブの公転軌道は同じ大きさです。原子核のL2´殻の軌道と原子核のL2´殻の軌道を公転する中性子のラブの公転軌道は同じ大きさです。原子核のM2´殻の軌道と原子核のM2´殻の軌道を公転する中性子のラブの公転軌道は同じ大きさです。
K殻の軌道と何か。
K殻の軌道とは電子のラブが自転しながら公転する軌道です。
K殻の軌道とは電子のラブが１〜2個乗って自転しながら公転する軌道です。
K殻の軌道とは電子のラブの公転軌道です。
Lの軌道とは何か。
L殻の軌道とは電子のラブが１〜8個乗って自転しながら公転する軌道です。
L殻の軌道とは電子のラブの公転軌道です。
M殻の軌道とは何か。
M殻の軌道とは電子のラブが１〜18個乗って自転しながら公転する軌道です。
M殻の軌道とは電子のラブの公転軌道です。
N殻の軌道とは何か。
N殻の軌道とは電子のラブが１〜32個乗って自転しながら公転する軌道です。
N殻の軌道とは電子のラブの公転軌道です。
K´殻の軌道とは何か。
K´殻の軌道とは陽子のラブが自転しながら公転する軌道です。
K´殻の軌道とは陽子のラブが１〜2個乗って自転しながら公転する軌道です。
L´殻の軌道とは何か。
L´殻の軌道とは陽子のラブが自転しながら公転する軌道です。
L´殻の軌道とは陽子のラブが１〜8個乗って自転しながら公転する軌道です。
M´殻の軌道とは何か。
M´殻の軌道とは陽子のラブが自転しながら公転する軌道です。
M´殻の軌道とは陽子のラブが１〜18個乗って自転しながら公転する軌道です。
N´殻の軌道とは何か。
N´殻の軌道とは陽子のラブが自転しながら公転する軌道です。
N´殻の軌道とは陽子のラブが１〜32個乗って自転しながら公転する軌道です。
K2´殻の軌道とは何か。
K2´殻の軌道とは中性子のラブが自転しながら公転する軌道です。
K2´殻の軌道とは中性子のラブが１〜2個乗って自転しながら公転する軌道です。
L2´殻の軌道とは何か。
L2´殻の軌道とは中性子のラブが自転しながら公転する軌道です。
L2´殻の軌道とは中性子のラブが１〜8個乗って自転しながら公転する軌道です。
M2´殻の軌道とは何か。
M2´殻の軌道とは中性子のラブが自転しながら公転する軌道です。
M2´殻の軌道とは中性子のラブが１〜18個乗って自転しながら公転する軌道です。
N2´殻の軌道とは何か。
N2´殻の軌道とは中性子のラブが自転しながら公転する軌道です。
N2´殻の軌道とは中性子のラブが１〜32個乗って自転しながら公転する軌道です。
１９．    第1世代の恒星の中の中性子の塊の状態
第1世代の恒星の中央部の軌道の中性子の塊について2つの場合について考えなければならない
・１つは、中性子の塊が第1世代の恒星の中のどのエネルギーの軌道でできたかについてである。
これは、第1世代の恒星の中の、中性子の塊の中性子の数とエネルギーと中性子の塊がができた場のAにより理解できる。
各々の元素の中性子の塊ができた場のAについては、課題13の表10に記した。
第1世代の恒星は中心に成る程高エネルギーの軌道に成る。
低エネルギーの軌道では、中性子の塊の中の中性子の層の数は少ない。そして、中性子の数は少ない。中性子1個のエネルギーは小さい。
高エネルギーの軌道に成る程、中性子の層は多くなる。塊の中の中性子の数は多くなる。そして、中性子1個のエネルギーは大きく成る(１０)。
例えば、Cの場合、低エネルギーの軌道で、中性子の塊はできた。それで、中性子の数は12個です。そして、電子1個のエネルギーは、3.960×10-15Jです。中性子1個のエネルギーは、3.960×10-15J×1.8387×103です。
例えば、Pb(82)の場合、高エネルギーの軌道で、中性子の塊はできた。それで、中性子の数は207個です。そして、電子1個のエネルギーは、1.228×10-12Jです。中性子1個のエネルギーは、1.228×10-12J×1.8387×103です。
・１つは中性子の塊がどのように成っているかについてである。
1個の元素は1個の中性子の塊でできる。中性子の塊は球形に成っている。
中性子の塊は層になっている。中性子の塊は層になり、球体に成っている。中性子の塊は球体の層に成っている。
中性子の塊は球形に成っていて、高エネルギーの中性子程中心の球体の層に存在している。低エネルギーの中性子程外側の球体の層に存在している。
高エネルギーの軌道に成る程、中性子の塊の層数は増加する。    
中性子の数は電子の数の約2倍ですから2×電子の数です。
中性子は2種類の中性子があります。
1種類は中性子が陽子のラブと電子のラブに崩壊する中性子です。
2種類は中性子のままでいる中性子です。
中性子のままでいる中性子の方が陽子と電子に崩壊する中性子より高エネルギーであり、軌道は小さい。それで、中性子のままでいる中性子の方が内側の軌道に存在する。
２０．    中性子の塊はどのように成っているか。
○中性子の塊の層が１層の場合。
1層には2列の中性子が公転しています。
外側の列の軌道を、陽子のラブと電子のラブに崩壊する中性子が公転します。
内側の列の軌道を中性子のままでいる中性子が公転します。
K殻には2個の電子が存在しますから、中性子の数は2×2個です。
・Hの中性子は2個です。これは1層の中性子であり、2列の中性子です。
外側の列の軌道を、陽子のラブと電子のラブに崩壊する中性子1個が公転します。
内側の列の軌道を中性子のままでいる中性子1個が公転します。
・Heの中性子は4個です。これは1層の中性子であり、2列の中性子です。
外側の列の軌道を、陽子のラブと電子のラブに崩壊する中性子2個が公転します。
内側の列の軌道を中性子のままでいる中性子2個が公転します。
崩壊後電子のラブはK殻を公転します。
○中性子の塊の層が2層の場合。
1層には2列の中性子が公転しています。
外側の列の軌道を、陽子のラブと電子のラブに崩壊する中性子が2個公転します。
内側の列の軌道を中性子のままでいる中性子が2個公転します。
L殻には8個の電子が存在します。これは2×22個＝8個です。中性子の数は2×2×22個＝16個です。それで、第1世代の恒星の中で、この中性子の塊は2層です。
1層には4個の中性子が存在します。
L殻は、LiからNeまでの１段とNaからArまでの1段で合計2段です。
Liの中性子の数は4+3=7個です。Neの中性子の数は6+2×7=20個です。
Naの中性子の数は20+3=23個です。Arの中性子の数は23+2×7=37のはずですが、40個です。中性子の数が3個増加しています。
・Liの中性子の数は4+3=7個です。これは2層の中性子であり、2列の中性子です。
1層には4個の中性子が存在します。
2層目の列は、
外側の列の軌道を、陽子のラブと電子のラブに崩壊する中性子1個が公転します。
内側の列の軌道を中性子のままでいる中性子2個が公転します。
・Neの中性子の数は6+2×7=20個です。
1層には4個の中性子が存在します。
2層目の列は、
外側の列の軌道を、陽子のラブと電子のラブに崩壊する中性子8個が公転します。
内側の列の軌道を中性子のままでいる中性子8個が公転します。
・Naの中性子の数は20+3=23個です
1層には4個の中性子が存在します。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子1個が公転します。
内側の列の軌道を中性子のままでいる中性子2個が公転します。
・Arの中性子の数は23+2×7=37のはずですが、40個です。中性子の数が3個増加しています。
1層には4個の中性子が存在します。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子1+8+3個が公転します。
○中性子の塊の層が3層の場合。
1層には2列の中性子が公転しています。
外側の列の軌道を、陽子のラブと電子のラブに崩壊する中性子が公転します。
内側の列の軌道を中性子のままでいる中性子が公転します。
M殻には18個の電子が存在します。これは2×32個＝18個です。中性子の数は2×2×32個＝36個です。それで、第1世代の恒星の中で、この中性子の塊は3層です。
1層には4個の中性子が存在します。
2層目の1段には16個2段目には16個＝32個の中性子が存在します。
M殻はKからKrまでの1段と、RbからXeまでの1段で合計2段です。
・Kの中性子数は36+3=39個です。
1層には4個の中性子が存在します。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子1個が公転します。
内側の列の軌道を中性子のままでいる中性子1+1個が公転します。
・Krの中性子の数は、39+2×17=73個のはずですが、83個です。中性子の数が10個増加しています。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
Rbの中性子の数は83+2=85個です。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子1個が公転します。
内側の列の軌道を中性子のままでいる中性子1個が公転します
・Xeの中性子の数は、85+2×17=119個のはずですが、131個です。中性子の数が12個増加しています。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
・○中性子の塊の層が4層の場合。
1層には2列の中性子が公転しています。
外側の列の軌道を、陽子のラブと電子のラブに崩壊する中性子が公転します。
内側の列の軌道を中性子のままでいる中性子が公転します
N殻には32個の電子が存在します。これは2×42個＝32個です。中性子の数は2×32＝64個です。それで、第1世代の恒星の中で、この中性子の塊は4層です。
1層目には4個の中性子が存在します。
2層目には16個の中性子が存在します。
3層目には36個の中性子が存在します。
・Csの中性子の数は131+2=133個です
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
4層目の1段の列は、
外側の列の軌道を、陽子のラブと電子のラブに崩壊する中性子1個が公転します。
内側の列の軌道を中性子のままでいる中性子1個が公転します。
・Rnの中性子の数は、133＋2×31=195個のはずですが、222個です。中性子の数が222-195=27個増加しています。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
4層目の1段の列は、
外側の列の軌道を、陽子のラブと電子のラブに崩壊する中性子32個が公転します。
内側の列の軌道を中性子のままでいる中性子32+27個が公転します。
・Frの中性子の数は222+１=223個です。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
4層目の1段の列は、
外側の列の軌道を、陽子のラブと電子のラブに崩壊する中性子32個が公転します。
内側の列の軌道を中性子のままでいる中性子32+27個が公転します。
4層目の2段の列は、
外側の列の軌道を、陽子のラブと電子のラブに崩壊する中性子1個が公転します。
内側の列の軌道を中性子のままでいる中性子0個が公転します。
・UUOの中性子の数は、223+1＋2×31＝286個のはずですが、294個です。中性子の数が294-286＝8個増加しています。
1層には4個の中性子が存在し成す。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
4層目の1段の列は、
外側の列の軌道を、陽子のラブと電子のラブに崩壊する中性子32個が公転します。
内側の列の軌道を中性子のままでいる中性子32+27個が公転します。
4層目の2段の列は、
外側の列の軌道を、陽子のラブと電子のラブに崩壊する中性子32個が公転します。
内側の列の軌道を中性子のままでいる中性子32+8個が公転します。
中性子の塊は層になり、球体に成っている。中性子の塊の中央の層ほど中性子の数は少なく、中央の層ほど中性子のエネルギーは大きい。
例えば、Auの場合。
Auの中性子の数は197個です。陽子と電子の数は79個です。
1層には4個の中性子が存在します。
外側の列の軌道を、陽子のラブと電子のラブに崩壊する中性子2個が公転します。
内側の列の軌道を中性子のままでいる中性子2個が公転します。
2層目の1段の列は、
外側の列の軌道を、陽子のラブと電子のラブに崩壊する中性子8個が公転します。
内側の列の軌道を中性子のままでいる中性子8個が公転します。
2層目の2段の列は、
外側の列の軌道を、陽子のラブと電子のラブに崩壊する中性子8個が公転します。
内側の列の軌道を中性子のままでいる中性子8個が公転します。
3層目の1段の列は、
外側の列の軌道を、陽子のラブと電子のラブに崩壊する中性子18個が公転します。
内側の列の軌道を中性子のままでいる中性子1+18+10個が公転します。
3層目の2段の列は、
外側の列の軌道を、陽子のラブと電子のラブに崩壊する中性子18個が公転します。
内側の列の軌道を中性子のままでいる中性子18+12個が公転します。
4層目の1段の列は、
外側の列の軌道を、陽子のラブと電子のラブに崩壊する中性子32個が公転します。
内側の列の軌道を中性子のままでいる中性子32+27個が公転します。
4層目の1段の列は
外側の列の軌道を、陽子のラブと電子のラブに崩壊する中性子の数は、79-2-8-8-18-18＝25個です。
内側の列の軌道を中性子のままでいる中性子は、197-79--2-8-8-(1+18+10)-( 18+12)-( 32+27)=18個です。
それでは実際Auに成る中性子の塊はどのようであるか。
表１１よりAuのK殻の電子のラブの公転軌道とエネルギーが解る。AuのL殻の電子のラブの公転軌道とエネルギーが解る。AuのM殻の電子のラブの公転軌道とエネルギーが解る。
この事により、地表のAuの原子核のK2´殻の中性子のラブの公転軌道とエネルギーが解る。地表のAuの原子核のL2´殻の中性子のラブの公転軌道とエネルギーが解る。地表のAuの原子核のM2´殻の中性子のラブの公転軌道とエネルギーが解る。
中性子のラブのエネルギーは1.8387×103倍であり、公転軌道は1.8387×103分の1です。
Au(79)のK殻を回転する電子のラブの公転軌道＝K吸収端の軌道  とした場合の、電子のラブのエネルギー。
表１４
2018038098.tif 000136
○表１４より、Auの原子核の中のK2´殻の中性子のラブのエネルギーと公転軌道とL2´殻の中性子のラブのエネルギーと公転軌道とM2´殻の中性子のラブのエネルギーと公転軌道を理解できる。
・原子核の中のK2´殻の中性子のラブのエネルギーと公転軌道はいくらか。
K殻を回転する電子のラブの公転軌道の大きさがK吸収端の軌道と同じ大きさであるとすると、電子のラブのエネルギーは1.133×10-12Jですから、地表のAuの原子核のK2´殻の中性子のラブのエネルギーは、1.133×10-12J×1.8387×103＝2.083×10-9J、です。
中性子のラブの公転軌道は、7.650×10-12m÷(1.8387×103)＝4.161×10-15m、です。
・原子核の中のL2´殻の中性子のラブのエネルギーと公転軌道はいくらか。
L殻を回転する電子のラブの公転軌道の大きさが、L系γ1の軌道と同じ大きさであるとすると、電子のラブのエネルギーは1.869×10-13Jですから、地表のAuの原子核のL2´殻の中性子のラブのエネルギーは、1.869×10-13J×1.8387×103＝3.437×10-10J、です。
中性子のラブの公転軌道は、4.635×10-11m÷(1.8387×103)＝2.521×10-14m、です。
・原子核の中のM2´殻の中性子のラブのエネルギーと公転軌道はいくらか。
M殻を回転する電子のラブの公転軌道の大きさが、M系γの軌道と同じ大きさであるとすると、電子のラブのエネルギーは3.368×10-14Jですから、地表のAuの原子核のL2´殻の中性子のラブのエネルギーは、3.368×10-14J×1.8387×103＝6.193×10-11J、です。
中性子のラブの公転軌道は2.573×10-10m÷(1.8387×103)＝1.399×10-13m、です。
○表10より、第1世代の恒星の中で、Auの中性子の塊ができる場のAが解る。
これによって、第1世代の恒星の中で、軌道は地表の軌道のA分の１であり、エネルギーは地表のA倍であると理解できる。
Au(79)の第1世代の恒星の中の中性子の塊のエネルギーと中性子の塊ができた場のA
表１５
2018038098.tif 000137
○表1５より、第1世代の恒星の中で、Auの中性子の、K3´殻の中性子のラブのエネルギーと公転軌道を理解できる。
第1世代の恒星の中で、Auの中性子の塊ができる場のAは2.519×105ですから、エネルギーは2.519×105倍であった。公転軌道は2.519×105分の1であった。
第1世代の恒星の中で、Auの中性子の塊の、K3´殻の中性子のラブのエネルギーは、2.083×10-9J×2.519×105＝5.247×10-4J、です。
K3´殻の中性子のラブの公転軌道は、4.161×10-15m÷(2.519×105)＝1.652×10-20m、です。
第1世代の恒星の中で、Auの中性子の塊の、L3´殻の中性子のラブのエネルギーは、3.437×10-10J×2.519×105＝8.658×10-5J、です。
L3´殻の中性子のラブの公転軌道は、2.521×10-14m÷(2.519×105)＝1.001×10-19m、です。
第1世代の恒星の中で、Auの中性子の塊の、M3´殻の中性子のラブのエネルギーは、6.193×10-11J×2.519×105＝1.560×10-5J、です。
M3´殻の中性子のラブの公転軌道は、1.399×10-13m÷(2.519×105)＝5554×10-19m、です。
Auの原子核の中のK2´殻の中性子のラブの公転軌道とエネルギーと、原子核の中のL2´殻の中性子のラブの公転軌道とエネルギーと、原子核の中のM2´殻の中性子のラブの公転軌道とエネルギー
第1世代の恒星の中で、Auの中性子の、K3´殻の中性子のラブの公転軌道とエネルギーと、第1世代の恒星の中で、Auの中性子の塊の、L3´殻の中性子のラブの公転軌道とエネルギーと、第1世代の恒星の中で、Auの中性子の、M3´殻の中性子のラブの公転軌道とエネルギー
Au(79)の各層の中性子の数と、K殻の電子のラブのエネルギーと公転軌道と、原子核の中のK2´殻の中性子のラブのエネルギー公転軌道と、第1世代の恒星の中の、Auの中性子の、K3´殻の中性子のラブのエネルギーと公転軌道。L殻とM殻の場合も同様です。
表１６
2018038098.tif 000138
2018038098.tif 000139
○第1世代の恒星の中で、Auの中性子の塊はどのようであるか。約50億年前のAuの姿はどのようであるか。
第1世代の恒星の中性子の塊の状態を基に考える。
第1世代の恒星の中央部の軌道の中性子の塊について2つの場合について考えなければならない
・１つは、中性子の塊が第1世代の恒星の中のどのエネルギーの軌道でできたかについてである。
Auの中性子の塊は第1世代の恒星の中のA＝2.519×105の軌道でできた。
・１つは中性子の塊がどのように成っているかについてである。
1個の元素は1個の中性子の塊でできる。中性子の塊は球形に成っている。
中性子の塊は層になっている。中性子の塊は層になり、球体に成っている。中性子の塊は球体の層に成っている。
Auの中性子の塊は4層になっている。
中性子の塊は層になり、球体に成っている。中性子の塊は球体の層に成っている。
Auの中性子の数は197個です。陽子と電子の数は79個です。
1層目について。
1層には4個の中性子が存在します。
外側の列の軌道を、陽子のラブと電子のラブに崩壊する中性子2個が公転します。崩壊後、電子のラブはK殻を公転し、陽子のラブは原子核の中のK´殻を公転します。
内側の列の軌道を中性子のままでいる中性子2個が公転します。崩壊後、中性子のラブは原子核の中のK2´殻を公転します。
第1世代の恒星の中で、Auの中性子の塊ができる場の、K3´殻の中性子のラブのエネルギーは、2.083×10-9J×2.519×105＝5.247×10-4J、です。
中性子のラブの公転軌道は、4.161×10-15m÷(2.519×105)＝1.652×10-20m、です。
それで、1.652×10-20mの外側の列の軌道を、陽子のラブと電子のラブに崩壊する中性子2個が公転します。
1.652×10-20m内側の列の軌道を中性子のままでいる中性子2個が公転します。
2層目について。
2層目の1段の列は、
外側の列の軌道を、陽子のラブと電子のラブに崩壊する中性子8個が公転します。崩壊後、電子のラブはL殻を公転し、陽子のラブは原子核の中のL´殻を公転します。
内側の列の軌道を中性子のままでいる中性子8個が公転します。崩壊後、中性子のラブは原子核の中のL2´殻を公転します。
2層目の2段の列は、
外側の列の軌道を、陽子のラブと電子のラブに崩壊する中性子8個が公転します。
内側の列の軌道を中性子のままでいる中性子8個が公転します。
第1世代の恒星の中で、Auの中性子の塊ができる場の、L3´殻の中性子のラブのエネルギーは、3.437×10-10J×2.519×105＝8.658×10-5J、です。
中性子のラブの公転軌道は、2.521×10-14m÷(2.519×105)＝1.001×10-20m、です。
それで、2層目の1段の列は、
1.001×10-20mの外側の列の軌道を、陽子のラブと電子のラブに崩壊する中性子8個が公転します。
1.001×10-20mの内側の列の軌道を中性子のままでいる中性子8個が公転します。
2層目の2段の列は、
1.001×10-20mより大きい外側の列の軌道を、陽子のラブと電子のラブに崩壊する中性子8個が公転します。
1.001×10-20mより大きい内側の列の軌道を中性子のままでいる中性子8個が公転します。
3層目について。
3層目の1段の列は、
外側の列の軌道を、陽子のラブと電子のラブに崩壊する中性子18個が公転します。崩壊後、電子のラブはM殻を公転し、陽子のラブは原子核の中のM´殻を公転します。
内側の列の軌道を中性子のままでいる中性子1+18+10個が公転します。崩壊後、中性子のラブは原子核の中のM2´殻を公転します。
3層目の2段の列は、
外側の列の軌道を、陽子のラブと電子のラブに崩壊する中性子18個が公転します。
内側の列の軌道を中性子のままでいる中性子18+12個が公転します。
第1世代の恒星の中で、Auの中性子の塊ができる場の、M3´殻の中性子のラブのエネルギーは、6.193×10-11J×2.519×105＝1.560×10-5J、です。
中性子のラブの公転軌道は、1.399×10-13m÷(2.519×105)＝5554×10-19m、です。
それで、3層目の1段の列は、
5554×10-19mの外側の列の軌道を、陽子のラブと電子のラブに崩壊する中性子18個が公転します。
5554×10-19mの内側の列の軌道を中性子のままでいる中性子1+18+10個が公転します。
3層目の2段の列は、
5554×10-19mより大きい外側の列の軌道を、陽子のラブと電子のラブに崩壊する中性子18個が公転します。
5554×10-19mより大きい内側の列の軌道を中性子のままでいる中性子18+12個が公転します。
4層目について。
4層目は、
外側の列の軌道を、陽子のラブと電子のラブに崩壊する中性子のラブ25個が公転します。
内側の列の軌道を中性子のままでいる中性子のラブ41個が公転します。
２１．    K殻を回転する電子のラブの公転軌道の大きさがK吸収端の軌道と同じ大きさであるとするとし、L殻を回転する電子のラブの公転軌道の大きさが、L系γ1の軌道と同じ大きさであるとし、M殻を回転する電子のラブの公転軌道の大きさが、M系γの軌道と同じ大きさであるとする場合、第1世代の恒星の中で、元素の中性子の塊の、K3´殻の中性子のラブの公転軌道とエネルギーはいくらか。第1世代の恒星の中で、元素の中性子の塊の、L3´殻の中性子のラブの公転軌道とエネルギーはいくらか。第1世代の恒星の中で、元素の中性子の塊の、M3´殻の中性子のラブの公転軌道とエネルギーはいくらか。
第1世代の恒星の中で、元素の中性子の塊の、K3´殻の中性子のラブの公転軌道＝K殻の電子のラブの軌道÷(1.8387×103)÷中性子の塊ができる場のA
第1世代の恒星の中で、元素の中性子の塊の、K3´殻の中性子のラブのエネルギー＝K殻の電子のラブのエネルギー×1.8387×103×中性子の塊ができる場のA
第1世代の恒星の中で、元素の中性子の塊の、L3´殻の中性子のラブの公転軌道＝L殻の電子のラブの軌道÷(1.8387×103)÷中性子の塊ができる場のA
第1世代の恒星の中で、元素の中性子の塊の、L3´殻の中性子のラブのエネルギー＝L殻の電子のラブのエネルギー×1.8387×103×中性子の塊ができる場のA
第1世代の恒星の中で、元素の中性子の塊の、M3´殻の中性子のラブの公転軌道＝M殻の電子のラブの軌道÷(1.8387×103)÷中性子の塊ができる場のA
第1世代の恒星の中で、元素の中性子の塊の、M3´殻の中性子のラブのエネルギー＝M殻の電子のラブのエネルギー×1.8387×103×中性子の塊ができる場のA
第1世代の恒星の中で、元素の中性子の塊の、K3´殻の中性子のラブの公転軌道とエネルギー
第1世代の恒星の中で、元素の中性子の塊の、L3´殻の中性子のラブの公転軌道とエネルギー
第1世代の恒星の中で、元素の中性子の塊の、M3´殻の中性子のラブの公転軌道とエネルギー
表１７
2018038098.tif 000140
2018038098.tif 000141
2018038098.tif 000142
2018038098.tif 000143
2018038098.tif 000144
2018038098.tif 000145
2018038098.tif 000146
2018038098.tif 000147
2018038098.tif 000148
2018038098.tif 000149
2018038098.tif 000150
2018038098.tif 000151
この表により理解できる事
1．各々の元素が第１世代の恒星のなかで、どのような様子であったかが理解できる。
2．現在、元素のK殻を公転している電子のラブと原子核のK´殻を公転している陽子のラブは、はるか約50億年前には、第1世代の恒星のなかの中性子の塊の中で、この表の、K3´殻の中性子のラブの公転軌道を公転していた。
3．現在、元素のK殻を公転している電子のラブのエネルギーと原子核のK´殻を公転している陽子のラブのエネルギーは、はるか約50億年前には、第1世代の恒星のなかの中性子の塊の中で、この表の、K3´殻の中性子のラブのエネルギーだった。
4．現在、元素のL殻を公転している電子のラブと原子核のL´殻を公転している陽子のラブは、はるか約50億年前には、第1世代の恒星のなかの中性子の塊の中で、この表の、L3´殻の中性子のラブの公転軌道を公転していた。
5．現在、元素のL殻を公転している電子のラブのエネルギーと原子核のL´殻を公転している陽子のラブのエネルギーは、はるか約60億年前には、第1世代の恒星のなかの中性子の塊の中で、この表の、L3´殻の中性子のラブのエネルギーだった。
6．現在、元素のM殻を公転している電子のラブと原子核のM´殻を公転している陽子のラブは、はるか約60億年前には、第1世代の恒星のなかの中性子の塊の中で、この表の、M3´殻の中性子のラブの公転軌道を公転していた。
7．現在、元素のM殻を公転している電子のラブのエネルギーと原子核のM´殻を公転している陽子のラブのエネルギーは、はるか約60億年前には、第1世代の恒星のなかの中性子の塊の中で、この表の、M3´殻の中性子のラブのエネルギーだった。
8．この表は元素が生まれる以前(超新星の爆発の以前)のお母さん(第１世代の恒星)のお腹の中にいるときの状態を示す。
２２．    元素ができる前段階の、第1世代の恒星の中で、元素の中性子の塊の層はどのようであるか。
第1世代の恒星の中で、元素の中性子の塊の、K3´殻の中性子のラブの公転軌道には、1層目に2個×2列=4個の中性子が公転する。
第1世代の恒星の中で、元素の中性子の塊の、L3´殻の中性子のラブの公転軌道には、2層目の1段に8個×2列=16個、2段に8個×2列=16個の中性子が公転する。
第1世代の恒星の中で、元素の中性子の塊の、M3´殻の中性子のラブの公転軌道には、3層目の1段に18個+1個+18個+10個=47個、2段に18個+18個+12個=48個の中性子が公転する。
元素ができる前段階の、第1世代の恒星の中で、元素の中性子の塊の層はどのようであるか。
元素の中性子の塊の1層目の軌道はK3´殻の中性子のラブの公転軌道であり、そこには4個の中性子が公転する。
元素の中性子の塊の2層目の軌道はL3´殻の中性子のラブの公転軌道であり、そこには1段に8個×2列=16個、2段に8個×2列=16個の中性子が公転する。
元素の中性子の塊の3層目の軌道はM3´殻の中性子のラブの公転軌道であり、そこには1段に18個+1個+18個+10個=47個、2段に18個+18個+12個=48個の中性子が公転する。
表１８
2018038098.tif 000152
2018038098.tif 000153
2018038098.tif 000154
2018038098.tif 000155
この表がどのように中性子の塊に成り、１層目、2層目、3層目の球体の層に成っているかを図示する。
２３．    元素はビッグバンの時できたのではない理由。
１．中性子の数は陽子や電子の数より多い。そして、質量エネルギーの大きい元素程高エネルギーの場でできたので、陽子と電子に崩壊しなかった中性子の数は多い。表10
2．元素の種類によって、、電子1個のエネルギーが異なる。この事は元素によって、陽子のエネルギーも異なる事を意味する。元素は同じエネルギーの中性子よりできたのではない事を証明している。
3．元素の種類によって、K殻を回転する電子のエネルギーが異なる。原子番号の大きい元素程高エネルギーの電子である。この事は原子番号の大きい元素程高エネルギーの場でできた事を証明する。もし、宇宙の中性子の集合によってできたならば、宇宙には原子番号の大きい元素程、数多く存在するはずです。高エネルギーの場で、引力が大きい場でできたからです。しかし、現実に、重い元素程存在度は低い。
4．もし、ビッグバンの時中性子が存在し、それが原料となり、元素ができたのならば、中性子は10−8秒の内に陽子と電子に崩壊するので、電子と陽子が中性子から崩壊してできるとするなら、その反応は10−8秒の内に行われなければならない。その反応はとても簡単な反応です。Heまでの反応です。宇宙空間に水素とHeが多く存在するのはこのためです。1段階で進む反応です。1個の中性子から水素ができ、2個の中性子からHeができた。これが10−8秒の内に行われた反応です。
5．高エネルギーの元素程高引力の環境で合成される。高エネルギーの中性子から高エネルギーの元素ができる。ビッグバンでできた原子は高エネルギーの原子から低エネルギーの原子に成った。高エネルギーの原子や中性子の密度は大きく引力も大きい。よって、元素がビッグバンの時できたのであれば、高エネルギーの元素の方が多量に存在するはずです。しかし、高エネルギーの元素の存在度は低い。
6．元素の存在度は低エネルギーの元素から高エネルギーの元素に成るに従って、存在度は規則的に低くなる。この事は、元素は恒星の中でできたのであり、ビッグバン後の宇宙の広がりの中でできたのではない。
7．元素は中性子からできる。ビッグバンで、中性子ができたのであれば、質量のあるニュートリノは宇宙に満ちている事に成る。
【産業上の利用可能性】
【０００９】
原子核の中を知ることは産業の発展に役立つ。
【符号の説明】
【００１０】
１    電子のラブ  
２    電磁気  
３    電子のラブの公転軌道  
４    電子のラブの公転軌道の外側の軌道  
５    X線  
６    K吸収端の軌道  
７    K殻の電子のラブの公転軌道  
８    L系のγ１の特性X線の軌道  
９    L殻の軌道を公転する電子のラブの公転軌道  
１０    M系のγの特性X線の軌道  
１１    M殻の軌道を公転する電子のラブの公転軌道
１２    原子核の中  
１３    陽子のラブのM´殻の軌道＝陽子のラブの公転軌道  
１４    中性子のラブのM2´の軌道＝中性子のラブの公転軌道  
１５    陽子のラブのL´殻の軌道＝陽子のラブの公転軌道  
１６    中性子のラブのL2´の軌道＝中性子のラブの公転軌道  
１７    陽子のラブのK´殻の軌道＝陽子のラブの公転軌道  
１８    中性子のラブのK2´の軌道＝中性子のラブの公転軌道
１９    陽子のラブ
２０    中性子のラブ
２１    Auの中性子の塊  
２２    1層目の中性子  
２３    K3´殻の中性子のラブのエネルギーは、2.083×10-9J×2.519×105＝5.247×10-4J、で、中性子のラブの公転軌道は、4.161×10-15m÷(2.519×105)＝1.652×10-20m  
２４    1.652×10-20mの外側の列の軌道を、陽子のラブと電子のラブに崩壊する中性子2個が公転する  
２５    1.652×10-20mの内側の列の軌道を、崩壊後、原子核の中性子に成る中性子2個が公転する  
２６    2層目の中性子  
２７    L3´殻の中性子のラブのエネルギーは、3.437×10-10J×2.519×105＝8.658×10-5J、で、中性子のラブの公転軌道は、2.521×10-14m÷(2.519×105)＝1.001×10-20m  
２８    1.001×10-20mの外側の列の軌道を、陽子のラブと電子のラブに崩壊する中性子8個が公転する  
２９    1.001×10-20mの内側の列の軌道を中性子のままでいる中性子8個が公転する  
３０    1.001×10-20mより大きい外側の列の軌道を、陽子のラブと電子のラブに崩壊する中性子8個が公転する  
３１    1.001×10-20mより大きい内側の列の軌道を中性子のままでいる中性子8個が公転する  
３２    3層目の中性子  
３３    M3´殻の中性子のラブのエネルギーは、6.193×10-11J×2.519×105＝1.560×10-5J、で、中性子のラブの公転軌道は、1.399×10-13m÷(2.519×105)＝5554×10-19m  
３４    5554×10-19mの外側の列の軌道を、陽子のラブと電子のラブに崩壊する中性子18個が公転する  
３５    5554×10-19mの内側の列の軌道を中性子のままでいる中性子1+18+10個が公転する  
３６    5554×10-19mより大きい外側の列の軌道を、陽子のラブと電子のラブに崩壊する中性子18個が公転する  
３７    5554×10-19mより大きい内側の列の軌道を中性子のままでいる中性子18+12個が公転する  
３８    4層目の中性子  
３９    外側の列の軌道を、陽子のラブと電子のラブに崩壊する中性子25個が公転します。崩壊後、電子のラブはN殻を公転し、陽子のラブは原子核の中のN´殻を公転する                                    
４０    内側の列の軌道を、原子核の中性子に崩壊する中性子41個が公転します。崩壊後、中性子のラブは原子核の中のN2´殻を公転
４１    元素の中性子の塊の1層目の軌道はK3´殻の中性子のラブの公転軌道であり、そこには4個の中性子が公転する  
４２    元素の中性子の塊の2層目の軌道はL3´殻の中性子のラブの公転軌道であり、そこには1段に8個+8個＝16個、2段に8個+8個＝16個の中性子が公転する  
４３    元素の中性子の塊の3層目の軌道はM3´殻の中性子のラブの公転軌道であり、そこには1段に18個+1個+18個+10個＝47個、2段に18個+18個+12個＝48個の中性子が公転する  
４４    4層のUuo(中性子の数は294)の場合は、元素の中性子の塊の4層目の軌道はN3´殻の中性子のラブの公転軌道であり、そこには1段に32個+32個+27個=91個、2段に32個+32個+8個=72個の中性子が公転する
【図１】
2018038098.tif 000309
【図２】
2018038098.tif 000310
【図３】
2018038098.tif 000311
【図４】
2018038098.tif 000312